(57)【要約】【課題】  オブジェクトデータの奥行き方向に関する情報を変更することにより、視聴者にとって視認性の高い立体表示を行う表示装置を提供する。【解決手段】  入力部１０７により指定されたオブジェクト以外で表示映像を構成しているオブジェクトの奥行き方向に関する情報は、３Ｄ変換部１０９により奥行き幅が狭まって表示されるように変更される。映像信号処理部１０５は、その変更された情報に基づき立体表示映像を作成し、表示部１１０はその立体表示映像を表示する。【選択図】  図１
2005065162.tif 000002
【特許請求の範囲】
【請求項１】
オブジェクトを立体的に表示することができるオブジェクトデータを取得する取得手段と、
前記取得手段で取得したオブジェクトデータの奥行き方向に関する情報を変更する制御手段と、
前記制御手段により変更されたオブジェクトデータに基づいてオブジェクトを立体的に表示する表示手段と
を備えていることを特徴とする表示装置。
【請求項２】
前記表示手段に表示されるオブジェクトの中からオブジェクトを指定するオブジェクト指定手段を備え、
前記制御手段は、前記オブジェクト指定手段で指定されたオブジェクトまたは前記オブジェクト指定手段で指定されたオブジェクト以外の所定のオブジェクトで前記表示手段に表示されるオブジェクトのオブジェクトデータの奥行き方向に関する情報を変更する
ことを特徴とする請求項１に記載の表示装置。
【請求項３】
前記制御手段は、前記奥行き方向に関する情報に基づいて前記オブジェクト指定手段で指定されたオブジェクトまたは前記オブジェクト指定手段で指定されたオブジェクト以外の所定のオブジェクトで前記表示手段に表示されるオブジェクトの奥行き位置または奥行き幅のうち少なくとも一方に関する情報を変更する
ことを特徴とする請求項２に記載の表示装置。
【請求項４】
前記制御手段は、前記オブジェクト指定手段で指定されたオブジェクトの奥行き位置と前記オブジェクト指定手段で指定されたオブジェクト以外の所定のオブジェクトで前記表示手段に表示されるオブジェクトの奥行き位置とを比較し、比較結果に基づいて前記指定されたオブジェクト以外の所定のオブジェクトで前記表示手段に表示されるオブジェクトのオブジェクトデータの奥行き方向に関する情報を変更する
ことを特徴とする請求項２に記載の表示装置。
【請求項５】
前記制御手段は、前記オブジェクト指定手段で指定されたオブジェクトの奥行き位置と前記オブジェクト指定手段で指定されたオブジェクト以外の所定のオブジェクトで表示手段に表示されるオブジェクトの奥行き位置との差が狭まるように、前記比較結果に基づいて前記表示手段に表示されるオブジェクトのオブジェクトデータの奥行き方向に関する情報を変更する
ことを特徴とする請求項４に記載の表示装置。
【請求項６】
前記制御手段は、前記オブジェクト指定手段で指定されたオブジェクトの奥行き位置が、前記オブジェクト指定手段で指定されたオブジェクト以外の所定のオブジェクトで表示手段により表示されるオブジェクトの奥行き位置よりも手前に表示されるように、前記比較結果に基づいて前記表示手段に表示されるオブジェクトのオブジェクトデータの奥行き方向に関する情報を変更する
ことを特徴とする請求項４に記載の表示装置。
【請求項７】
前記制御手段は、前記オブジェクト指定手段で指定されたオブジェクトの奥行き幅が広くなるように、または前記オブジェクト指定手段で指定されたオブジェクト以外の所定のオブジェクトで前記表示手段に表示されるオブジェクトの奥行き幅が狭くなるように、前記オブジェクト指定手段で指定されたオブジェクトのオブジェクトデータの奥行き方向に関する情報について変更を行う
ことを特徴とする請求項２に記載の表示装置。
【請求項８】
前記制御手段は、前記オブジェクト指定手段で指定されたオブジェクトの奥行き位置が、前記オブジェクト指定手段で指定されたオブジェクト以外の所定のオブジェクトで表示手段により表示されるオブジェクトの奥行き位置よりも手前に表示されるように、前記表示手段に表示されるオブジェクトのオブジェクトデータの奥行き方向に関する情報を変更する
ことを特徴とする請求項２に記載の表示装置。
【請求項９】
前記制御手段は、奥行き方向に対して垂直方向に広がる平面である基準
平面と前記オブジェクト指定手段で指定されたオブジェクト以外の所定のオブジェクトで前記表示手段に表示されるオブジェクトの奥行き位置との差を狭めるように、前記オブジェクト指定手段で指定されたオブジェクト以外で前記表示手段に表示されるオブジェクトのオブジェクトデータのうち奥行き方向に関する情報について変更を行う
ことを特徴とする請求項２に記載の表示装置。
【請求項１０】
前記基準平面は、映像を表示する表示画面と交わる位置に設定される
ことを特徴とする請求項９に記載の表示装置。
【請求項１１】
前記表示手段に表示されるオブジェクトは少なくとも放送されるコンテンツを構成するオブジェクトであり、前記オブジェクト指定手段で指定されるオブジェクトはメニュー画面を構成するオブジェクトである
ことを特徴とする請求項２に記載の表示装置。
【請求項１２】
前記表示手段に表示されるオブジェクトは、１以上の第１のオブジェクトと前記第１のオブジェクトに含まれる第２のオブジェクトとを有し、前記表示手段に表示されるオブジェクトの中から１以上の第１のオブジェクトを指定するオブジェクト指定手段を備え、
前記制御手段は、前記オブジェクト指定手段で指定された第１のオブジェクトに含まれる第２のオブジェクトまたは前記オブジェクト指定手段で指定された第１のオブジェクト以外の第１のオブジェクトに含まれる第２のオブジェクトの奥行き方向に関する情報を変更する
ことを特徴とする請求項１に記載の表示装置。
【請求項１３】
前記制御手段は、前記表示手段に表示されるオブジェクトの注目度に応じて、前記オブジェクトのオブジェクトデータの奥行き方向に関する情報を変更する
ことを特徴とする請求項１に記載の表示装置。
【請求項１４】
前記表示手段に表示されるオブジェクトは番組の表を構成するオブジェクトであり、前記制御手段は前記番組の視聴率が高いほど前記オブジェクトの奥行き幅が広くなるように前記オブジェクトのオブジェクトデータの奥行き方向に関する情報を変更する
ことを特徴とする請求項１に記載の表示装置。
【請求項１５】
前記表示手段に表示されるオブジェクトは階層構造で表示されるオブジェクトであり、前記制御手段は上位階層のオブジェクトに対して下位階層のオブジェクトの奥行き幅が広くなるように、前記下位階層のオブジェクトのオブジェクトデータの奥行き方向に関する情報を変更する
ことを特徴とする請求項１記載の表示装置。
【請求項１６】
前記取得手段が、前記オブジェクトデータの奥行き方向に関する情報を変更する処理手順を示す操作コードを取得したとき、
前記制御手段は、前記操作コードに基づいて前記オブジェクトのオブジェクトデータの奥行き方向に関する情報を変更する
ことを特徴とする請求項１に記載の表示装置。
【請求項１７】
前記取得手段が、前記オブジェクトデータの奥行き方向に関する情報を変更する処理手順を示す操作コードを取得したとき、
前記制御手段は、前記操作コードまたはあらかじめ保持している操作コードのいずれかに基づいて前記オブジェクトのオブジェクトデータの奥行き方向に関する情報を変更することができる
ことを特徴とする請求項１に記載の表示装置。
【請求項１８】
前記操作コードは変更後の前記オブジェクトデータの奥行き方向に関する情報を定める、変更前のオブジェクトデータに対する倍率値である
ことを特徴とする請求項１６または請求項１７に記載の表示装置。
【請求項１９】
前記操作コードが前記オブジェクトデータの奥行き方向に関する情報を変更するオブジェクトを指定する値であるとき、
前記制御手段は、前記オブジェクトを指定する値により指定されるオブジェクトまたは
前記オブジェクトを指定する値により指定されるオブジェクト以外の所定のオブジェクトで前記表示手段に表示されるオブジェクトのオブジェクトデータの奥行き方向に関する情報を変更する
ことを特徴とする請求項１６または請求項１７に記載の表示装置。
【請求項２０】
前記オブジェクトデータの奥行き方向に関する情報は絶対的な空間座標軸上の値に基づいて表される情報、あるいは二次元データを三次元データに変換して得られる情報である
ことを特徴とする請求項１から請求項１９のうちいずれか１項に記載の表示装置。
【請求項２１】
前記オブジェクトの奥行き位置は、前記各オブジェクトの最も手前に表示される位置である
ことを特徴とする請求項３から請求項６，請求項８，請求項９のうちいずれか１項に記載の表示装置。
【請求項２２】
オブジェクトを立体的に表示することができるオブジェクトデータの奥行き方向に関する情報を変更する処理手順を示す操作コードとを送信する
ことを特徴とする送信装置。
【請求項２３】
オブジェクトを立体的に表示することができるオブジェクトデータを送信する送信装置と、
オブジェクトを立体的に表示することができるオブジェクトデータを受信する受信手段と、前記受信手段で受信したオブジェクトデータの奥行き方向に関する情報を変更する制御手段とを有する受信装置と
を備えることを特徴とする送受信システム。
【請求項２４】
前記送信装置は、さらに前記オブジェクトデータの奥行き方向に関する情報を変更する処理手順を示す操作コードを送信し、
前記受信装置は、前記操作コードに基づいて前記オブジェクトのオブジェクトデータの奥行き方向に関する情報を変更する
ことを特徴とする請求項２３に記載の送受信システム。
【請求項２５】
オブジェクトを立体的に表示することができるオブジェクトデータを取得するステップと、
取得したオブジェクトデータの奥行き方向に関する情報を変更するステップと、
変更されたオブジェクトデータに基づいてオブジェクトを立体的に表示するステップと、
を含むことを特徴とする表示方法。
【請求項２６】
オブジェクトを立体的に表示することができるオブジェクトデータと前記オブジェクトデータの奥行き方向に関する情報を変更する処理手順を示す操作コードとを送信するステップを含む
ことを特徴とする送信方法。
【請求項２７】
オブジェクトを立体的に表示することができるオブジェクトデータを送信するステップと、
オブジェクトを立体的に表示することができるオブジェクトデータを受信するステップと、
受信したオブジェクトデータの奥行き方向に関する情報を変更するステップと
を有することを特徴とする送受信方法。
【請求項２８】
さらに前記オブジェクトデータの奥行き方向に関する情報を変更する処理手順を示す操作コードを送信し、
前記操作コードに基づいて前記オブジェクトのオブジェクトデータの奥行き方向に関する情報を変更する
ことを特徴とする請求項２７に記載の送受信方法。
【発明の詳細な説明】
【技術分野】
【０００１】
本発明は、映像データ等を送信する送信装置、映像データを立体的に表示可能な表示装置、映像データを送受信することができる送受信システム、送受信方法、表示方法、送信方法、および映像に関する制御をすることができるリモコンに関するものである。
【背景技術】
【０００２】
従来から、注視位置を変化させることにより、オブジェクト空間にあるオブジェクトの見え方を変化させて表示できることが知られていた。注視位置とは、表示上の視差が無くなる位置である。
【０００３】
そこで、両眼の視差を発生させる２つの異なる画像を生成する際に、注視位置の近傍にあるオブジェクトほど視差が無くなるように、左右両眼で認識される画像が一致するようにする。逆に、注視位置から離れたオブジェクトほど視差が誘発されるように、左右両眼で認識される画像にずれを与える。
【０００４】
その結果、注視位置の近傍にあるオブジェクトに対して、注視位置から手前にあるオブジェクトは飛び出して見え、注視位置から奥にあるオブジェクトは奥に引き下がって見える。
【０００５】
例えば、図４８は表示画面４８０１に表示されるオブジェクト４８０２とオブジェクト４８０３とオブジェクト４８０４が示されており、また注視位置をそれぞれ注視位置４８０５、注視位置４８０６、注視位置４８０７と設定した場合が示されている。なお、視聴者は矢印方向へ視線を向けているとする。
【０００６】
まず、注視位置４８０５と設定されたとき、オブジェクト４８０２とオブジェクト４８０３とオブジェクト４８０４はともに奥に引き下がって表示される。
【０００７】
また、注視位置４８０６と設定されたときは、視聴者はオブジェクト４８０２とオブジェクト４８０４が手前に飛び出して表示される一方、オブジェクト４８０３は奥に引き下がって表示される。
【０００８】
また、注視位置４８０７と設定されたときは、オブジェクト４８０２とオブジェクト４８０３とオブジェクト４８０４はともに手前に飛び出して表示される。（例えば特許文献１参照）。
【特許文献１】特開２００３−１０７６０３号公報（第１４頁、第６図）
【発明の開示】
【発明が解決しようとする課題】
【０００９】
ところで、上記方法によるオブジェクトの見え方は、注視位置を基準として、注視位置からオブジェクトの相対的な位置に依存していた。
【００１０】
従って、例えば、複数のオブジェクトが近接しているような場合、その中から特定のオブジェクトのみを際立たせて表示させ、見やすい映像を得ることは難しかった。
【００１１】
また、例えば、オブジェクトが遠近さまざまな場所に配置されているような場合、激しい遠近差により視聴者の眼に疲労感を与え、やはり見やすい映像を得ることは難しかった
。
【００１２】
そこで、本発明は上記課題に鑑み、視聴者にとって視認性の高い立体表示を行う表示装置等を提供するものである。
【課題を解決するための手段】
【００１３】
上記の課題を解決するために本発明による表示装置は、オブジェクトを立体的に表示することができるオブジェクトデータを取得する取得手段と、取得手段で取得したオブジェクトデータの奥行き方向に関する情報を変更する制御手段と、制御手段により変更されたオブジェクトデータに基づいてオブジェクトを立体的に表示する表示手段とを備えたものである。これにより、オブジェクトデータのうち奥行き方向に関する情報について変更を行い、そのオブジェクトデータに基づいてオブジェクトを立体的に表示することができる。
【００１４】
また、表示手段に表示されるオブジェクトの中からオブジェクトを指定するオブジェクト指定手段を備えることにより、オブジェクト指定手段で指定されたオブジェクトまたはオブジェクト指定手段で指定されたオブジェクト以外の所定のオブジェクトで表示手段に表示されるオブジェクトのオブジェクトデータの奥行き方向に関する情報を変更できる。
【００１５】
また、奥行き方向に関する情報に基づいてオブジェクト指定手段で指定されたオブジェクトまたはオブジェクト指定手段で指定されたオブジェクト以外の所定のオブジェクトで表示手段に表示されるオブジェクトの奥行き位置または奥行き幅のうち少なくとも一方に関する情報を変更できる。
【００１６】
また、オブジェクト指定手段で指定されたオブジェクトの奥行き位置とオブジェクト指定手段で指定されたオブジェクト以外の所定のオブジェクトで表示手段に表示されるオブジェクトの奥行き位置とを比較し、比較結果に基づいて指定されたオブジェクト以外の所定のオブジェクトで表示手段に表示されるオブジェクトのオブジェクトデータの奥行き方向に関する情報を変更できる。
【００１７】
また、オブジェクト指定手段で指定されたオブジェクトの奥行き位置とオブジェクト指定手段で指定されたオブジェクト以外の所定のオブジェクトで表示手段に表示されるオブジェクトの奥行き位置との差が狭まるように、比較結果に基づいて表示手段に表示されるオブジェクトのオブジェクトデータの奥行き方向に関する情報を変更できる。
【００１８】
また、オブジェクト指定手段で指定されたオブジェクトの奥行き位置が、オブジェクト指定手段で指定されたオブジェクト以外の所定のオブジェクトで表示手段により表示されるオブジェクトの奥行き位置よりも手前に表示されるように、比較結果に基づいて表示手段に表示されるオブジェクトのオブジェクトデータの奥行き方向に関する情報を変更できる。
【００１９】
また、オブジェクト指定手段で指定されたオブジェクトの奥行き幅が広くなるように、またはオブジェクト指定手段で指定されたオブジェクト以外の所定のオブジェクトで表示手段に表示されるオブジェクトの奥行き幅が狭くなるように、オブジェクト指定手段で指定されたオブジェクトのオブジェクトデータの奥行き方向に関する情報について変更できる。
【００２０】
また、オブジェクト指定手段で指定されたオブジェクトの奥行き位置が、オブジェクト指定手段で指定されたオブジェクト以外の所定のオブジェクトで表示手段により表示されるオブジェクトの奥行き位置よりも手前に表示されるように、表示手段に表示されるオブ
ジェクトのオブジェクトデータの奥行き方向に関する情報を変更できる。
【００２１】
また、奥行き方向に対して垂直方向に広がる平面である基準平面とオブジェクト指定手段で指定されたオブジェクト以外の所定のオブジェクトで表示手段に表示されるオブジェクトの奥行き位置との差を狭めるように、オブジェクト指定手段で指定されたオブジェクト以外で表示手段に表示されるオブジェクトのオブジェクトデータのうち奥行き方向に関する情報について変更できる。
【００２２】
また、表示手段に表示されるオブジェクトは、１以上の第１のオブジェクトと第１のオブジェクトに含まれる第２のオブジェクトとを有し、表示手段に表示されるオブジェクトの中から１以上の第１のオブジェクトを指定するオブジェクト指定手段を備え、制御手段は、オブジェクト指定手段で指定された第１のオブジェクトに含まれる第２のオブジェクトまたはオブジェクト指定手段で指定された第１のオブジェクト以外の第１のオブジェクトに含まれる第２のオブジェクトの奥行き方向に関する情報を変更できる。
【００２３】
また、制御手段は、表示手段に表示されるオブジェクトの注目度に応じて、オブジェクトのオブジェクトデータの奥行き方向に関する情報を変更できる。
【００２４】
また、表示手段に表示されるオブジェクトは番組の表を構成するオブジェクトであり、制御手段は番組の視聴率が高いほどオブジェクトの奥行き幅が広くなるようにオブジェクトのオブジェクトデータの奥行き方向に関する情報を変更できる。
【００２５】
また、表示手段に表示されるオブジェクトは階層構造で表示されるオブジェクトであり、制御手段は上位階層のオブジェクトに対して下位階層のオブジェクトの奥行き幅が広くなるように、下位階層のオブジェクトのオブジェクトデータの奥行き方向に関する情報を変更できる。
【００２６】
また、取得手段がオブジェクトデータの奥行き方向に関する情報を変更する処理手順を示す操作コードを取得したとき、制御手段は操作コードに基づいてオブジェクトのオブジェクトデータの奥行き方向に関する情報を変更できる。
【００２７】
また、取得手段がオブジェクトデータの奥行き方向に関する情報を変更する処理手順を示す操作コードを取得したとき、制御手段は、操作コードまたはあらかじめ保持している操作コードのいずれかに基づいてオブジェクトのオブジェクトデータの奥行き方向に関する情報を変更することができる。
【００２８】
また、操作コードがオブジェクトデータの奥行き方向に関する情報を変更するオブジェクトを指定する値であるとき、制御手段はオブジェクトを指定する値により指定されるオブジェクトまたはオブジェクトを指定する値により指定されるオブジェクト以外の所定のオブジェクトで表示手段に表示されるオブジェクトのオブジェクトデータの奥行き方向に関する情報を変更できる。
【００２９】
また、本発明による送信装置は、オブジェクトを立体的に表示することができるオブジェクトデータの奥行き方向に関する情報を変更する処理手順を示す操作コードとを送信できる。
【００３０】
また、本発明による送受信システムは、オブジェクトを立体的に表示することができるオブジェクトデータを送信する送信装置と、オブジェクトを立体的に表示することができるオブジェクトデータを受信する受信手段と、受信手段で受信したオブジェクトデータの奥行き方向に関する情報を変更する制御手段とを有するものである。これにより、オブジ
ェクトを立体的に表示することができるオブジェクトデータを送信し、そのオブジェクトデータを受信装置で受信することによって受信したオブジェクトデータの奥行き方向に関する情報を変更できる。
【００３１】
また、オブジェクトデータの奥行き方向に関する情報を変更する処理手順を示す操作コードを送信装置で送信し、その操作コードに基づいて受信装置においてオブジェクトのオブジェクトデータの奥行き方向に関する情報を変更できる。
【００３２】
また、本発明によるリモコンは、立体的に表示されているオブジェクトの中から奥行き幅または奥行き位置を変更するオブジェクトを指定できるオブジェクト指定部を備えている。これにより、立体的に表示されているオブジェクトの中から奥行き幅または奥行き位置を変更するオブジェクトを指定できる。
【００３３】
また、立体的に表示されるオブジェクトの中で奥行き幅または奥行き位置を変更するオブジェクトの変更後の奥行き幅または奥行き位置を指定できる。
【発明の効果】
【００３４】
本発明により視聴者にとって視認性の高い立体表示を行う表示装置等を提供することができる。
【発明を実施するための最良の形態】
【００３５】
以下、本発明の実施の形態を、図面を参照しながら説明する。
【００３６】
（第１の実施の形態）
第１の実施の形態は、立体的に表示されるオブジェクトの奥行き幅を変更して表示する一例を示すものである。特に、指定したオブジェクトの視認性を向上させるために、指定したオブジェクト以外のオブジェクトの奥行き幅を変更して表示するものである。
【００３７】
まず、第１の実施の形態の受信装置１０１について、図１を用いて説明する。受信装置１０１は、受信部１０２と分離部１０３、デコーダ１０４、映像信号処理部１０５、制御部１０６、入力部１０７、記憶部１０８、３Ｄ変換部１０９、表示部１１０を備えている。
【００３８】
例えば、受信装置１０１とはテレビであり、勿論ケーブルテレビ網に接続して番組を受信したり、電話回線に接続してインターネット接続や通信カラオケを提供するような様々なサービスを受けられるテレビであってもよい。また、受信装置１０１は必ずしも上記構成を満たさなければならないものではなく、例えば表示部１１０を有さず、新たに表示を行う別機器に接続する必要があるようなＳＴＢ（セット・トップ・ボックス）であってもよい。
【００３９】
受信部１０２は、送信装置から送られてくる信号を受信して復調し、分離部１０３へ出力する。
【００４０】
分離部１０３は、受信部１０２から出力された信号に含まれる映像信号及び音声信号と番組に関する情報等の付加情報とを分離する。そして、映像信号及び音声信号はデコーダ１０４に出力され、付加情報は制御部１０６に出力される。
【００４１】
デコーダ１０４は、分離部１０３から出力された映像信号をデコード処理し、３Ｄ変換部１０９へ出力する。また、分離部１０３から出力された音声信号をデコード処理し、音声信号処理部（図示せず）を介しスピーカ等の音声出力部（図示せず）へ出力する。
【００４２】
３Ｄ変換部１０９は、デコーダ１０４から出力された映像信号に対して所定の処理を施し、映像信号部へ出力する。ただし、３Ｄ変換部１０９が所定の処理を行うのは、映像信号にオブジェクトデータ等の立体映像を表示するための情報が含まれている場合である。
【００４３】
記憶部１０８は、制御部１０６からの付加情報を記憶する以外に、受信装置１０１に予め格納されている設定値や、視聴者からの要求で表示部１１０に表示が行われるオブジェクトデータも記憶している。例えば、後に述べる図１６に示すような設定を行うためのメニューオブジェクトや、図３１に示すような放送番組一覧オブジェクト、図３７に示すような多画面一覧オブジェクトのオブジェクトデータを記憶している。
【００４４】
入力部１０７は、表示映像を構成しているオブジェクトから特定のオブジェクトを指定するためのオブジェクトＩＤを制御部１０６に出力する。
【００４５】
制御部１０６は、分離部１０３からの付加情報を記憶部１０８に出力する以外に、入力部１０７から出力されたオブジェクトＩＤを３Ｄ変換部１０９に出力する。また、受信部１０２に対して所望の映像信号を受信するように制御を行う。
【００４６】
映像信号処理部１０５は、３Ｄ変換部１０９から出力されたオブジェクトデータに基づいて、表示映像を作成する。表示映像とは、例えば、ディスプレイに映される映像のことである。
【００４７】
表示部１１０は、映像信号処理部１０５により作成された表示映像を表示する。なお、表示映像を立体的に表示する方法としては、視聴者に赤と青の色フィルタをつけたメガネを着用させて左眼用、右眼用の映像を見せる方法や、上記に挙げたような立体映像を表示するための専用のメガネを用いずにディスプレイに左眼用、右眼用映像を交互に切り替えて表示する方法や、スリットを設ける方法等があるが、いずれの方法であってもよい。
【００４８】
ところで、第１の実施の形態の受信装置１０１で扱うオブジェクトデータは、図２に示すように、オブジェクトの識別を行うためのオブジェクトＩＤ２０１と、オブジェクトを表示するためのオブジェクト表示情報２０２から構成されているものとする。
【００４９】
オブジェクト表示情報２０２は、オブジェクト空間内に設定されるｘ軸、ｙ軸、ｚ軸から成る絶対的な座標系を使用して位置が特定されるドットの集合として表される。
【００５０】
具体的に述べると、以下で説明する図６のオブジェクト６０２は、８つのドット６０５、６０６、６０７、６０８、６０９、６１０、６１１、６１２から構成されているので、オブジェクト６０２のオブジェクト表示情報には８つのドット６０５、６０６、６０７、６０８、６０９、６１０、６１１、６１２の位置情報がそれぞれ記されている。
【００５１】
座標系に関しては、図３に示すように、表示を行うディスプレイ左下を原点３０１とし、ｘ軸は画面右方向、ｙ軸は画面上方向、ｚ軸は画面手前方向をそれぞれ正の方向として設定する。また、ｚ軸座標値が正の値で表されるドットは、表示画面を眺める視聴者にとって、表示画面よりも手前に飛び出て見えるように表示される。
ところで、本発明の実施の形態を説明するにあたり、奥行き方向とはｚ軸に対して負の方向であるとし、手前とはｚ軸に対して正の方向、奥側とはｚ軸に対して負の方向であるとする。
【００５２】
また、オブジェクトの奥行き位置とは、オブジェクト表示情報のうちのすべてのドットから得られるｚ軸座標値のうちの最大値とする。
【００５３】
さらに、オブジェクトの奥行き幅とは、オブジェクト表示情報のうちのすべてのドットから得られるｚ軸座標値のうちの最大値からｚ軸座標値のうちの最小値を減じた値とする。
【００５４】
また、オブジェクトは複数のオブジェクトの集合により構成することができる。例えば、景色を表すオブジェクトであれば、木を表すオブジェクトや山を表すオブジェクトから構成される。
【００５５】
次に、第１の実施の形態の受信装置１０１が行う処理手順について述べ、そのフローを図４に示す。
【００５６】
まず、視聴者はリモコン等の入力部１０７から特定のオブジェクトを指定するためのオブジェクトＩＤを入力する（ステップＳ４０１）。
【００５７】
次に、入力したオブジェクトＩＤ以外のオブジェクトＩＤを有するオブジェクトの奥行き幅を狭めるために倍率値の数値入力を入力部１０７から行う（ステップＳ４０２）。倍率値とは、あるオブジェクトのオブジェクト表示情報から求められる奥行き幅に対する奥行き幅を狭めた後のオブジェクトの奥行き幅の割合のことである。例えば、倍率値を０．５と定めたとき、オブジェクトの奥行き幅は半分に狭められる。
【００５８】
次に、制御部１０６は、入力部１０７により入力された倍率値とオブジェクトＩＤを３Ｄ変換部１０９に出力する（ステップＳ４０３）。
【００５９】
３Ｄ変換部１０９は、制御部１０６から受け取ったオブジェクトＩＤを有するオブジェクトを除き、映像を構成するオブジェクトの奥行き幅を狭めるように、倍率値に基づいてオブジェクト表示情報を変更する（ステップＳ４０４）。
【００６０】
映像信号処理部１０５は、変更されたオブジェクト表示情報に基づいて立体映像を作成する（ステップＳ４０５）。
【００６１】
表示部１１０は、映像信号処理部１０５で作成された立体映像を表示する（ステップＳ４０６）。
【００６２】
なお、ステップＳ４０２において、一定時間の間に視聴者から倍率値の入力が行われない場合は、予め設定された倍率値に基づいて処理が続行されるようにしてもよい。
【００６３】
例えば、視聴者が入力部１０７から特定のオブジェクトのオブジェクトＩＤを入力した後、制御部１０６は視聴者から倍率値に数値入力が行われるまで処理を中断する。そして、中断した時間が予め定めた設定時間を超えた場合、制御部１０６は、記憶部１０８に予め設定された倍率値を取得し、３Ｄ変換部１０９に出力してもよい。
【００６４】
また、上記したように倍率値に入力を待つことなく、予め設定された倍率値を用いてもよい。その場合、図４に示した処理手順において、ステップＳ４０２は行われず、ステップＳ４０１のあと、ステップＳ４０３が行われることになる。
【００６５】
また、ステップＳ４０１が行われない場合も考えられる。例えば、後に述べる第６の実施の形態には、送信装置から特定のオブジェクトを選択できる例が示されており、受信装置で必ずしも特定のオブジェクトを指定する必要はない。
【００６６】
次に、図４に示した処理手順において、３Ｄ変換部１０９が行う処理を詳細に述べ、そのフローを図５に示す。
【００６７】
入力部１０７により指定されたオブジェクトのオブジェクトＩＤを制御部１０６から受け取ったとき、３Ｄ変換部１０９は表示映像を構成するためにデコーダ１０４から出力されるオブジェクトのオブジェクトＩＤを読みとる（ステップＳ５０１）。
【００６８】
読みとったすべてのオブジェクトのオブジェクトＩＤの中に、指定されたオブジェクトＩＤと一致するものがあるかを確認する（ステップＳ５０２）。
【００６９】
もし、指定されたオブジェクトＩＤと一致するものがなければ（ステップＳ５０２でＮ）、３Ｄ変換部１０９が行う処理を終了する（ステップＳ５０３）。
【００７０】
もし、指定されたオブジェクトＩＤと一致するものがあれば（ステップＳ５０２でＹ）、処理を続行する。そして、指定されたオブジェクトＩＤと一致しないオブジェクトを選び出し（ステップＳ５０４）、そのオブジェクトのオブジェクト表示情報に含まれるすべてのドットのｚ軸座標値からｚ軸座標値の最大値、即ちオブジェクトの奥行き位置を求める（ステップＳ５０５）。
【００７１】
そして、ステップＳ５０４で選びだしたオブジェクトを構成する各ドットのｚ軸座標値を変更する。例えば、ステップＳ５０５で求めたオブジェクトの奥行き位置をＤとし、倍率値をＭとして表すと、変更後のドットのｚ軸座標値を、（Ｄ−Ｍ×（Ｄ−変更前のドットのｚ軸座標値））に基づいて変更する（ステップＳ５０６）。
【００７２】
その後、デコーダ１０４から出力されたすべてのオブジェクトのオブジェクトＩＤが確認されたかを調べる（ステップＳ５０７）。
【００７３】
もし、指定されたオブジェクトＩＤと一致しないオブジェクトで、表示映像に映し出されるすべてのオブジェクトのオブジェクトＩＤが確認されたならば（ステップＳ５０７でＹ）、３Ｄ変換部１０９が行う処理を終了する（ステップＳ５０３）。なお、すべてのオブジェクトとは、後に述べる図６を用いると、選択されたオブジェクト６０２以外のオブジェクト６０３とオブジェクト６０４のことである。  もし、すべてのオブジェクトのオブジェクトＩＤが確認されていなければ（ステップＳ５０７でＮ）、ステップＳ５０４に戻って処理を続ける。
【００７４】
次に、第１の実施の形態を図６に示した表示映像に基づいて説明を行う。
【００７５】
図６は、表示画面６０１に映し出される表示映像が示され、表示映像はオブジェクト６０２、オブジェクト６０３、オブジェクト６０４により構成されている。さらに、表示映像を上から眺めたときの、各オブジェクトのｘ軸座標とｚ軸座標による位置が示されている。
【００７６】
なお、各オブジェクトの識別を行うため、オブジェクト６０２のＩＤを「００１」、オブジェクト６０３のＩＤを「００２」、オブジェクト６０４のＩＤを「００３」とする。
【００７７】
また、各オブジェクトは８つのドットから構成されているとし、オブジェクト６０２を構成する８つのドットの座標値は、ドット６０５（１、３、５）、ドット６０６（１、３、７）、ドット６０７（４、３、５）、ドット６０８（４、３、７）、ドット６０９（１、５、５）、ドット６１０（１、５、７）、ドット６１１（４、５、５）、ドット６１２（４、５、７）とする。また、オブジェクト６０２の奥行き幅は、オブジェクト６０２を
構成するすべてのドットのうち、ｚ軸座標値の最大値からｚ軸座標値の最小値を減じた値となるので、７−５＝２である。
【００７８】
同様に、オブジェクト６０３を構成する８つのドットの座標値は、ドット６１３（７、３、１）、ドット６１４（７、３、３）、ドット６１５（１０、３、１）、ドット６１６（１０、３、３）、ドット６１７（７、５、１）、ドット６１８（７、５、３）、ドット６１９（１０、５、１）、ドット６２０（１０、５、３）とする。このとき、オブジェクト６０３の奥行き幅は、３−１＝２である。
【００７９】
オブジェクト６０４を構成する８つのドットの座標値は、ドット６２１（１２、３、５）、ドット６２２（１２、３、６）、ドット６２３（１５、３、５）、ドット６２４（１５、３、６）、ドット６２５（１２、５、５）、ドット６２６（１２、５、６）、ドット６２７（１５、５、５）、ドット６２８（１５、５、６）とする。このとき、オブジェクト６０４の奥行き幅は、６−５＝１である。
【００８０】
まず、視聴者は入力部１０７から特定のオブジェクトを指定するためのオブジェクトＩＤをリモコン等から入力する。ここでは、オブジェクト６０２を指定するために、オブジェクト６０２のオブジェクトＩＤである「００１」がリモコンから出力されたとする。
【００８１】
次に、オブジェクト６０３とオブジェクト６０４の奥行き幅を狭めるために倍率値の数値入力をリモコン等から行う。第１の実施の形態では、倍率値を０．５とする。
【００８２】
なお、特定のオブジェクトの選択や、倍率値の数値入力をリモコン等から行うと書いたが、上記方法以外でもよい。例えば、図７に示すようなリモコン７０１を用いる方法が考えられる。リモコン７０１は、電源ボタン７０２とチャンネル切換ボタン７０３と十字オブジェクト選択ボタン７０４と操作ハンドル７０５を備えている。視聴者は十字オブジェクト選択ボタン７０４により、映像を構成しているオブジェクトから特定のオブジェクトを選択できる。また、操作ハンドル７０５を矢印方向７０６に操作することにより、画面上で確認しながら倍率の数値設定を行うことができる。なお、図８に示すようなリモコン８０１を用いる方法も考えられる。リモコン８０１は、電源ボタン８０２とチャンネル切換ボタン８０３と十字オブジェクト選択ボタン８０４と球体８０５を備えており、オブジェクト選択ボタン８０４により特定のオブジェクトを選択し、矢印方向８０６に球体を回転しながら設定を行えるようにしてもよい。
【００８３】
また、図６に示す表示映像に関して、視聴者が操作ハンドル７０５または球体８０５を操作したとき、表示映像は図９に示すような映像になる。なお、図９の構成について、図６に示したものと同じ構成であるものに関しては、図６で付した番号を援用する。
【００８４】
図９には、表示画面６０１に選択したオブジェクト６０２、表示映像を構成するオブジェクト６０３とオブジェクト６０４、右下に制御状況表示オブジェクト９０１が表示されている。
【００８５】
制御状況表示オブジェクト９０１は、倍率値の大小の程度をグラフ表示９０２にして、簡単に把握できるためのものである。制御状況表示オブジェクト９０１には、「狭く」９０３、「元の幅」９０４、「広く」９０５と表示されており、「元の幅」９０４は倍率値が１となる地点である。図９では、グラフ表示が「元の幅」９０４と「狭く」９０３の中間あたりとなっており、本来の幅よりも若干狭めて表示されている、と確認できる。
【００８６】
また、表示画面６０１の中で、選択したオブジェクト６０２を瞬時に把握できるように矢印９０６が表示されている。
【００８７】
なお、制御状況表示オブジェクト９０１は、上記したように倍率値の大小の程度を示すのではなく、数値で表示してもよい。また、制御状況表示オブジェクト９０１が表示されるのは、操作ハンドル７０５または球体８０５により倍率値を設定するときのみ表示させてもよいし、選択したオブジェクト以外に表示映像を構成するオブジェクトの奥行き幅を狭めるように制御している間、表示させておいてもよいものとする。
【００８８】
なお、操作ハンドル７０５または球体８０５は、第２の実施の形態で述べる差分値の数値を設定できるようにしてもよく、その場合、制御状況表示オブジェクト９０１は差分値の数値や程度を示すものであってもよい。
【００８９】
また、矢印９０６は、選択したオブジェクト６０２を瞬時に把握できるような表示を行うものであれば他の手段でもよく、例えば制御状況表示オブジェクト９０１内に選択したオブジェクト６０２を縮尺して形状を表して表示するようなものであってもよい。
【００９０】
次に、制御部１０６はオブジェクト６０２のＩＤである「００１」と、倍率値０．５を３Ｄ変換部１０９に出力する。
【００９１】
３Ｄ変換部１０９は、映像を構成するオブジェクト６０２とオブジェクト６０３とオブジェクト６０４のオブジェクトＩＤをそれぞれ読みとり、その中からオブジェクトＩＤ「００１」を有するオブジェクトと有さないオブジェクトとを識別する。
【００９２】
そして、オブジェクトＩＤ「００１」を有さないオブジェクト６０３とオブジェクト６０４のうち、まずオブジェクト６０３のオブジェクトデータのオブジェクト表示情報から８つのドットの座標値を読みとる。そして、８つのドットのｚ軸座標値から最大値を求める。この場合、最大値は３である。
【００９３】
なお、オブジェクト表示情報のすべてのドットから得られるｚ軸座標値の最大値はオブジェクトの奥行き位置であるので、オブジェクト６０３の奥行き位置は３となる。
【００９４】
次に、オブジェクト６０３を構成する８つのドットのｚ軸座標値を、オブジェクト６０３の奥行き位置を変更せず、オブジェクト６０３の奥行き幅を狭めるように変更する。例えば、オブジェクトの奥行き位置をＤとし、倍率値をＭとして表すと、変更後のドットのｚ軸座標値を（Ｄ−Ｍ×（Ｄ−変更前のドットのｚ軸座標値））に基づいて変更する。
【００９５】
変更の一例を示すと、オブジェクト６０３を構成するドット６１７のｚ軸座標値は１であるので、ｚ軸座標値の更新値は上式より、変更後のドットのｚ軸座標値＝３−０．５（３−１）＝２となる。この演算は、オブジェクト６０３を構成するすべてのドットについて行われる。
【００９６】
次に、表示映像を構成するオブジェクトの中で、オブジェクト６０３以外でオブジェクトＩＤ「００１」を有さないオブジェクトがあるかを調べる。そして、オブジェクト６０４についてはまだ処理が行われていないため、オブジェクト６０４について、オブジェクト６０４を構成するすべてのドットについて演算を行う。
【００９７】
表示映像を構成するオブジェクトの中ですべてのオブジェクトについて処理を行ったので、映像信号処理部１０５は、３Ｄ変換部１０９により更新されたオブジェクトデータに基づいて、オブジェクト６０２とオブジェクト６０３とオブジェクト６０４の立体映像を作成し、立体映像を表示する。
【００９８】
上記処理により、図６に示した表示映像は図１０のようになる。なお、図１０において、図６と同様の構成には同一番号を付し、説明は図６のものを援用する。
【００９９】
図１０において、表示映像を構成しているオブジェクトのうち、オブジェクト６０３を構成するドットと、オブジェクト６０４を構成するドットの位置は変更され、新たにオブジェクト１００３、オブジェクト１００４として表示されている。
【０１００】
オブジェクト１００３を構成する８つのドットの座標値は、ドット１００５（７、３、２）、ドット１００６（７、３、３）、ドット１００７（１０、３、２）、ドット１００８（１０、３、３）、ドット１００９（７、５、２）、ドット１０１０（７、５、３）、ドット１０１１（１０、５、２）、ドット１０１２（１０、５、３）となっている。
【０１０１】
オブジェクト１００４を構成する８つのドットの座標値は、ドット１０１３（１２、３、５．５）、ドット１０１４（１２、３、６）、ドット１０１５（１５、３、５．５）、ドット１０１６（１５、３、６）、ドット１０１７（１２、５、５．５）、ドット１０１８（１２、５、６）、ドット１０１９（１５、５、５．５）、ドット１０２０（１５、５、６）となっている。
【０１０２】
従って、変更を行う前のオブジェクト６０３の奥行き幅が２であったのに対して、倍率値を０．５と設定したことにより、変更を行った後のオブジェクト１００３の奥行き幅は３−２＝１となって表示される。
【０１０３】
同様に、変更を行う前のオブジェクト６０４の奥行き幅が１であったのに対して、倍率値を０．５と設定したことにより、変更を行った後のオブジェクト１００４の奥行き幅は６−５．５＝０．５となって表示される。
【０１０４】
なお、図６から図１０の表示映像に至る過程における３Ｄ変換部１０９の処理手順を図５に示したが、例えば、図６から図１０の表示画面に至る処理の途中に、図１１に示すように別のオブジェクト１１０１が表示映像に現れることが考えられる。このとき、３Ｄ変換部１０９は、オブジェクト１１０１に対しても図５に示した処理を行うことにより、表示映像中の選択したオブジェクト６０２以外のオブジェクトの奥行き幅を狭める。
【０１０５】
また、上記した例では、倍率値を０．５と設定して、選択したオブジェクト以外で表示映像を構成しているオブジェクトの奥行き幅を狭めて表示させたが、例えば倍率値を１以上の値で設定して、選択したオブジェクトの奥行き幅を広めて設定するように処理してもよい。その時、上記したステップＳ５０２の後で、ステップＳ５０４として、選択されたオブジェクトのオブジェクトＩＤと一致するオブジェクトを選び出し、ステップＳ５０５の処理を行えばよい。要は、選択したオブジェクトを際立たせて表示させるために、選択したオブジェクトの奥行き幅を他のオブジェクトの奥行き幅に比べて相対的に広く表示できればよい。
【０１０６】
以上、第１の実施の形態によれば、視聴者に対する立体映像特有の圧迫感を抑制することができ、視聴者が指定したオブジェクトの表示を際立たせることができる。
【０１０７】
（第２の実施の形態）
第２の実施の形態は、立体的に表示されるオブジェクトの奥行き位置を変更して表示することにより、表示画面全体のオブジェクトの奥行き位置の遠近差が解消され、立体映像特有の圧迫感が抑制されるものである。
【０１０８】
なお、第２の実施の形態の受信装置１０１は図１に示したものと同じ構成であり、以下
の説明では図１で付した番号を援用する。
【０１０９】
また、第２の実施の形態の受信装置１０１が行う処理手順については、ステップＳ４０２以外の処理については図４と同様に行われる。
【０１１０】
第２の実施の形態の受信装置１０１では、ステップＳ４０２において、差分値を入力する。差分値とは、指定したオブジェクトＩＤを有するオブジェクト以外で表示映像を構成するオブジェクトの奥行き位置を、指定したオブジェクトＩＤを有するオブジェクトの奥行き位置に近づけるときに、移動できるｚ軸座標値のことである。
【０１１１】
また、３Ｄ変換部１０９が行うオブジェクト表示情報変更処理について、第１の実施の形態において示した図５のステップＳ５０６以外のステップでは同様の処理が行われるので、ステップＳ５０６について詳細に説明する。
【０１１２】
第２の実施の形態において、ステップＳ５０６では、指定されたオブジェクトＩＤを有するオブジェクトの奥行き位置と映像を構成するオブジェクトの奥行き位置との大きさを比較する。
【０１１３】
もし、指定されたオブジェクトの奥行き位置が、ステップＳ５０４で選び出されたオブジェクトの奥行き位置よりも大きい値であれば、ステップＳ５０４で選び出されたオブジェクトを構成する各ドットのｚ軸座標値を（各ドットのｚ軸座標値＋差分値）に基づいて変更する。
【０１１４】
もし、指定されたオブジェクトの奥行き位置が、ステップＳ５０４で選び出されたオブジェクトの奥行き位置よりも小さい値であれば、ステップＳ５０４で選び出されたオブジェクトを構成する各ドットのｚ軸座標値を（各ドットのｚ軸座標値−差分値）に基づいて変更する。
【０１１５】
次に、上記した第２の実施の形態の処理を図６に示す表示画面に適用した例を示す。差分値は２とする。
【０１１６】
３Ｄ変換部１０９において、オブジェクト６０３とオブジェクト６０４を構成するドットを変更する。
【０１１７】
例えば、オブジェクト６０３を構成するドット６１７を例にして説明する。オブジェクト６０２の奥行き位置は７であり、ドット６１７のｚ軸座標値は１である。従って、指定されたオブジェクトの奥行き位置がオブジェクトの奥行き位置よりも大きい値であり、各ドットのｚ軸座標値を（各ドットのｚ軸座標値＋差分値）に基づいて変更する。即ち、ドット６１７のｚ軸座標値の更新値は、上式より（１＋２）＝３となる。この演算をオブジェクト６０３を構成するすべてのドットについて行う。同様に、オブジェクトＩＤ「００１」を有さないオブジェクト６０４についても、オブジェクト６０４を構成するすべてのドットについて演算を行う。
【０１１８】
上記処理により、図６に示した表示映像は図１２のようになる。なお、図１２において、図６と同様の構成には同一番号を付し、説明は図６のものを援用する。
【０１１９】
図１２において、表示映像を構成しているオブジェクトのうち、オブジェクト１２０３を構成するドットと、オブジェクト１２０４を構成するドットの位置は変更されている。
【０１２０】
オブジェクト１２０３を構成する８つのドットの座標値は、ドット１２０５（７、３、
３）、ドット１２０６（７、３、５）、ドット１２０７（１０、３、３）、ドット１２０８（１０、３、５）、ドット１２０９（７、５、３）、ドット１２１０（７、５、５）、ドット１２１１（１０、５、３）、ドット１２１２（１０、５、５）となる。このとき、奥行き位置は５、奥行き幅は２となる。
【０１２１】
オブジェクト１２０４を構成する８つのドットの座標値は、ドット１２１３（１２、３、７）、ドット１２１４（１２、３、８）、ドット１２１５（１５、３、７）、ドット１２１６（１５、３、８）、ドット１２１７（１２、５、７）、ドット１２１８（１２、５、８）、ドット１２１９（１５、５、７）、ドット１２２０（１５、５、８）となる。このとき、奥行き位置は８、奥行き幅は１となる。
【０１２２】
図１２のオブジェクト１２０３とオブジェクト１２０４は、オブジェクト６０３、オブジェクト６０４と比較して、オブジェクト６０２に近づいて表示されている。実際、各オブジェクトの奥行き位置の差が緩和されている。そのため、画面全体のオブジェクトの遠近差が解消され、立体映像特有の圧迫感が抑制され、視聴者の眼の負担も緩和され疲労感を抑えることができる。  なお、第２の実施の形態における３Ｄ変換部１０９の処理のステップＳ５０６において、オブジェクトの奥行き幅を倍率値分だけ変更させるとともに、奥行き位置も倍率値分だけ変更させるために、各ドットのｚ軸座標値を（各ドットのｚ軸座標値×倍率値）に基づいて変更してもよい。この式によれば、オブジェクトの奥行き幅が倍率値分だけ変更されるとともに、奥行き位置も倍率値分だけ変更される。
【０１２３】
上式によれば、図６に示した表示映像は図１３のようになる。なお、図１３において、図６と同様の構成には同一番号を付し、説明は図６のものを援用する。
【０１２４】
図１３には、オブジェクト６０２と、オブジェクト６０３を構成するドットに変更処理を行った後のオブジェクト１３０３と、オブジェクト６０４を構成するドットに変更処理を行った後のオブジェクト１３０４が示されている。
【０１２５】
オブジェクト１３０３を構成する８つのドットの座標値は、ドット１３０５（７、３、０．５）、ドット１３０６（７、３、１．５）、ドット１３０７（１０、３、０．５）、ドット１３０８（１０、３、１．５）、ドット１３０９（７、５、０．５）、ドット１３１０（７、５、１．５）、ドット１３１１（１０、５、０．５）、ドット１３１２（１０、５、１．５）と変更される。このとき、奥行き位置は１．５、奥行き幅は１となる。
【０１２６】
オブジェクト１３０４を構成する８つのドットの座標値は、ドット１３１０（１２、３、２．５）、ドット１３１４（１２、３、３）、ドット１３１５（１５、３、２．５）、ドット１３１６（１５、３、３）、ドット１３１７（１２、５、２．５）、ドット１３１８（１２、５、３）、ドット１３１９（１５、５、２．５）、ドット１３２０（１５、５、３）と変更される。このとき、奥行き位置は３、奥行き幅は０．５となる。
【０１２７】
図１３のオブジェクト１３０３とオブジェクト１３０４は、オブジェクト６０３、オブジェクト６０４と比較して、奥行き幅が半分に狭めて表示されている。さらに、オブジェクト１３０３とオブジェクト１３０４の奥行き位置は、ｘ座標軸を含む平面、即ち表示を行うディスプレイに近づいている。
【０１２８】
そして、ディスプレイに近い位置にあるオブジェクトを見る視聴者は鮮明にオブジェクトを見ることができ、全体的に鮮明な映像を確保しながら、オブジェクト６０２以外のオブジェクト１３０３とオブジェクト１３０４の奥行き幅を狭めることができる。
【０１２９】
なお、上記のように、各ドットのｚ軸座標値を（各ドットのｚ軸座標値×倍率値）に基
づいて変更する場合において、例えば図１４に示すように視聴者が選択したオブジェクト１４０１のｚ軸座標値が正の値をとる一方で、オブジェクト１４０２とオブジェクト１４０３のｚ軸座標値が負の値をとるような場合でもよい。
【０１３０】
つまり、オブジェクト１４０２とオブジェクト１４０３の奥行き幅と奥行き位置を変更して図１５のように変更したことにより、オブジェクト１５０２とオブジェクト１５０３の奥行き位置はオブジェクト１４０１の奥行き位置に近づき、各オブジェクト間の遠近差が解消される。そのため、立体映像特有の圧迫感が抑制され、視聴者の眼の負担が緩和されるたけでなく、選択したオブジェクトが見やすく表示されるのである。なお、第２の実施の形態では、倍率値は１以下である場合について述べた。
【０１３１】
以上、第２の実施の形態によれば、視聴者が指定したオブジェクトの奥行き位置と指定したオブジェクト以外で表示映像を構成するオブジェクトの奥行き位置との差を狭めることにより、画面全体のオブジェクトの奥行き位置の遠近差が解消され、立体映像特有の圧迫感を抑制することができる。
【０１３２】
また、視聴者が指定したオブジェクト以外で表示映像を構成するオブジェクトの奥行き位置を、ある基準となる平面に対して近づけて表示することにより、指定したオブジェクトが際立って表示され、その一方で画面全体のオブジェクトの奥行き位置の遠近差が解消され、立体映像特有の圧迫感を抑制することができる。
【０１３３】
（第３の実施の形態）
第１の実施の形態及び第２の実施の形態では、映像を構成するオブジェクトの中からオブジェクトを選択し、選択したオブジェクトの視認性を向上させるために、選択したオブジェクト以外のオブジェクトの奥行き幅や奥行き位置を変更して表示するものであった。
【０１３４】
第３の実施の形態では、第１の実施の形態及び第２の実施の形態を活用して、メニュー表示を行うためのメニューオブジェクトの表示を見やすくする場合について説明する。
【０１３５】
ところで、メニューオブジェクトとは、図１６に示すように、メニュー項目を表示する１つ以上の項目ボタンオブジェクトから構成されている。第３の実施の形態では、メニューオブジェクト１６０１は項目Ａボタンオブジェクト１６０２、項目Ｂボタンオブジェクト１６０３、項目Ｃボタンオブジェクト１６０４、項目Ｄボタンオブジェクト１６０５から構成されている。
【０１３６】
また、メニューオブジェクト１６０１のオブジェクトＩＤを「９００」、項目Ａボタンオブジェクト１６０２のオブジェクトＩＤを「９０１」、項目Ｂボタンオブジェクト１６０３のオブジェクトＩＤを「９０２」、項目Ｃボタンオブジェクト１６０４のオブジェクトＩＤを「９０３」、項目Ｄボタンオブジェクト１６０５のオブジェクトＩＤを「９０４」として、説明を行う。
【０１３７】
図１７は、メニューの表示を行う受信装置１７０１の構成を示すものであり、受信部１０２と分離部１０３、デコーダ１０４、映像信号処理部１０５、入力部１０７、制御部１７０２、記憶部１７０３、３Ｄ変換部１７０４、メニュー変換部１７０５、表示部１１０を備えている。なお、図１７において、図１と同様の構成には同一番号を付し、説明は図１のものを援用する。
【０１３８】
入力部１０７は、視聴者からのメニュー表示要求を受け付ける。また、入力部１０７により、メニューに表示されている項目ボタンを選択できる。
【０１３９】
制御部１７０２は、入力部１０７からメニュー表示要求が出されたとき、記憶部１７０３からメニューオブジェクト１６０１とメニューオブジェクト１６０１を構成する各項目の項目オブジェクトを取得し、メニュー変換部１７０５に出力する。また、メニューオブジェクト１６０１のオブジェクトＩＤ「９００」を３Ｄ変換部１７０４に出力する。
【０１４０】
メニュー変換部１７０５は、制御部１７０２から出力されるメニューオブジェクト１６０１と項目ボタンオブジェクト１６０２、１６０３、１６０４、１６０５のオブジェクトデータを受け取る。そして、メニューオブジェクト１６０１と項目ボタンオブジェクト１６０２、１６０３、１６０４、１６０５に対して所定の処理を行い、映像信号処理部１０５に出力する。
【０１４１】
次に、図１７に示した受信装置１７０１が扱うオブジェクトデータについて説明する。
【０１４２】
まず、メニューオブジェクト１６０１のオブジェクトデータは、図１８に示すように、オブジェクトＩＤ１８０１と、構成オブジェクトＩＤ格納情報１８０２と、オブジェクト表示情報１８０３により構成されている。構成オブジェクトＩＤ格納情報１８０２には、メニューオブジェクト１８０１を構成する項目ボタンオブジェクトのオブジェクトＩＤが格納されている。例えば、図１６の場合であれば、構成オブジェクトＩＤ格納情報１８０２には、メニューオブジェクト１６０１を構成する項目Ａボタンオブジェクト１６０２、項目Ｂボタンオブジェクト１６０３、項目Ｃボタンオブジェクト１６０４、項目Ｄボタンオブジェクト１６０５のオブジェクトＩＤである「９０１」と「９０２」と「９０３」と「９０４」というオブジェクトＩＤが格納されている。
【０１４３】
さらに、項目ボタンオブジェクトのオブジェクトデータは、図１９に示すように、オブジェクトＩＤ１９０１と、リンクオブジェクトＩＤ格納情報１９０２と、オブジェクト表示情報１９０３により構成されている。リンクオブジェクトＩＤ格納情報１９０２には、項目ボタンオブジェクトが選択されたときに、次に表示されるオブジェクトのオブジェクトＩＤが格納されている。
【０１４４】
次に、第３の実施の形態の受信装置１７０１が行う処理手順について述べ、そのフローを図２０に示す。
【０１４５】
まず、視聴者は入力部１０７からメニューオブジェクト１６０１を表示要求する（ステップＳ２００１）。
【０１４６】
次に、制御部１７０２は、選択されたメニューオブジェクト１６０１のオブジェクトデータを記憶部１７０３から取得する（ステップＳ２００２）。
【０１４７】
そして、オブジェクトデータのうち構成オブジェクトＩＤ格納情報からメニューオブジェクト１６０１を構成する項目ボタンオブジェクト１６０２、１６０３、１６０４、１６０５のオブジェクトデータを記憶部１７０３から取得し、メニュー変換部１７０５に出力する（ステップＳ２００３）。
【０１４８】
さらに、制御部１７０２は、３Ｄ変換部１７０４から、メニューオブジェクト１６０１が表示要求されたときの表示映像を構成するオブジェクトの奥行き位置のうち最大値となる値を取得し、メニュー変換部１７０５に出力する。（ステップＳ２００４）。
【０１４９】
そして、メニューオブジェクト１６０１の奥行き位置を制御部１７０２から出力された最大値に基づいて、その最大値よりも大きな値となるようにメニューオブジェクト１６０１と項目ボタンオブジェクトの奥行き位置を設定し（ステップＳ２００５）、メニューオ
ブジェクト１６０１を構成するすべての項目ボタンオブジェクト１６０２、１６０３、１６０４、１６０５のオブジェクトデータを映像信号処理部１０５に出力する。
【０１５０】
映像信号処理部１０５は、３Ｄ変換部１７０４とメニュー変換部１７０５から受け取ったオブジェクトデータに基づいて立体映像を作成する（ステップＳ２００６）。
【０１５１】
表示部１１０は、映像信号処理部１０５で作成された立体映像を表示する（ステップＳ２００７）。
【０１５２】
なお、図２０に示した処理手順には、メニューオブジェクト１６０１以外で表示映像を構成するオブジェクトの奥行き幅や奥行き位置を変更する処理が記載されていないが、その処理は、例えば第１、第２の実施の形態に記載した処理方法により行えばよい。
【０１５３】
次に、第３の実施の形態を図２１に示した表示映像に基づいて説明する。
【０１５４】
図２１は、メニュー表示が行われる前の表示画面２１０１に映し出される表示映像であり、表示映像は人物オブジェクト２１０２と家オブジェクト２１０３から構成されている。さらに、表示映像を上から眺めたときの、ｘ軸座標値とｚ軸座標値による各オブジェクトの位置が示されている。
【０１５５】
視聴者はメニュー表示を行うために、入力部１０７からメニューオブジェクト１６０１を表示要求する。
【０１５６】
次に、制御部１７０２は、記憶部１７０３からメニューオブジェクト１６０１のオブジェクトデータを取得する。
【０１５７】
そして、メニューオブジェクト１６０１のオブジェクトデータのうち構成オブジェクトＩＤ格納情報１８０２からメニューオブジェクト１６０１を構成する項目ボタンオブジェクトのオブジェクトＩＤを読み取り、記憶部１７０３から項目Ａボタンオブジェクト１６０２、項目Ｂボタンオブジェクト１６０３、項目Ｃボタンオブジェクト１６０４、項目Ｄボタンオブジェクト１６０５のオブジェクトデータを取得し、メニューオブジェクト１６０１と取得した項目ボタンオブジェクト１６０２、１６０３、１６０４、１６０５をメニュー変換部１７０５に出力する。
【０１５８】
更に、制御部１７０２は、３Ｄ変換部１７０４から、表示映像を構成するオブジェクトのうち、最も大きい奥行き位置の値を取得し、メニュー変換部１７０５に出力する。図２１では、人物オブジェクト２１０２が家オブジェクト２１０３よりも手前にあるので、制御部１７０２は人物オブジェクト２１０２の奥行き位置をメニュー変換部１７０５に出力する。
【０１５９】
なお、３Ｄ変換部１７０４は、予め視聴者が定めた倍率値に基づいて表示映像を構成する人物オブジェクト２１０２と家オブジェクト２１０３の奥行き幅を狭めて表示するように、それぞれのオブジェクトデータのオブジェクト表示情報を変更する。この処理については、既に第１の実施の形態で述べたので、説明を省略する。
【０１６０】
メニュー変換部１７０５は、制御部１７０２から送られたメニューオブジェクト１６０１と項目ボタンオブジェクトに対して、映像を構成するすべてのオブジェクトよりも手前に位置するような処理を行ったあと、映像信号処理部１０５に出力する。つまり、人物オブジェクト２１０２がメニューオブジェクト１６０１とそれぞれの項目ボタンオブジェクト１６０２、１６０３、１６０４、１６０５の奥行き位置よりも奥側となるように奥行き
位置が設定される。
【０１６１】
映像信号処理部１０５は、３Ｄ変換部１７０４とメニュー変換部１７０５から送られてくるオブジェクトデータに基づき、メニューオブジェクト１６０１と人物オブジェクト２１０２と家オブジェクト２１０３の立体映像を作成し、表示する。
【０１６２】
上記処理により、図２１に示した表示映像は図２２のようになる。
【０１６３】
図２２によれば、人物オブジェクト２２０１と家オブジェクト２２０２は、人物オブジェクト２１０２と家オブジェクト２１０３と比較して倍率値分だけ奥行き幅が狭められて表示されている。また、メニューオブジェクト２２０３の奥行き位置が、映像を構成する他のオブジェクトの奥行き位置よりも手前に位置して表示されるようになる。その結果、メニューオブジェクト２２０３が他のオブジェクトと比較して際立って表示され、メニューの視認性が向上する。なお、上に示した例において、倍率値は１以下の値であれば任意の値を設定してよい。
【０１６４】
ところで、メニューが表示されている最中に、メニューの前方にオブジェクトが移動することがある。例えば、図２３に示すように、メニューオブジェクト２２０３の後方に位置するオブジェクト２３０２は矢印２３０３に沿って移動し、メニューオブジェクト２２０３の前方に移動する。その結果、表示されたメニューオブジェクト２２０３の一部分がオブジェクト２３０２によって遮られてしまい、メニューオブジェクト２２０３の内容が正しく認識できなくなる。
【０１６５】
そこで、メニューオブジェクト２２０３の前方にオブジェクト２３０２が移動しても、視聴者がメニューオブジェクト２２０３の表示を確認できるように、３Ｄ変換部１７０４は図２４に示す処理を行う。
【０１６６】
なお、第３の実施の形態における以下の説明において、メニューオブジェクト２２０３の奥行き位置は、メニューオブジェクト２２０３とメニューオブジェクト２２０３を構成する項目ボタンオブジェクトのうちで最も小さな値をとる奥行き位置のことを指すものとする。
【０１６７】
まず、制御手段を介してメニュー変換部１７０５からメニューオブジェクト２２０３の奥行き位置の値を取得する（ステップＳ２４０１）。
【０１６８】
次に、メニューオブジェクト２２０３以外で映像を構成するオブジェクトの中から一つオブジェクトを選び出し、そのオブジェクトの奥行き位置を求め（ステップＳ２４０２）、メニューオブジェクト２２０３の奥行き位置とメニューオブジェクト２２０３以外で表示されているオブジェクト２３０２の奥行き位置との大小を比較する（ステップＳ２４０３）。
【０１６９】
もし、メニューオブジェクト２２０３の奥行き位置より手前となる奥行き位置を有するオブジェクト２３０２があれば（ステップＳ２４０３でＹ）、オブジェクト２３０２の奥行き位置をメニューオブジェクト２２０３の奥行き位置より手前とならないように変更する（ステップＳ２４０４）。
【０１７０】
その後、メニューオブジェクト２２０３以外で表示されているすべてのオブジェクトのオブジェクトＩＤが確認されたかどうかを調べる（ステップＳ２４０５）。
【０１７１】
もし、メニューオブジェクト２２０３以外で表示されているすべてのオブジェクトのオ
ブジェクトＩＤが確認されたならば（ステップＳ２４０５でＹ）、３Ｄ変換部１７０４が行う処理を終了する。
【０１７２】
もし、メニューオブジェクト２２０３以外で表示されているすべてのオブジェクトのオブジェクトＩＤが確認されていなければ（ステップＳ２４０５でＮ）、ステップＳ２４０２に戻って処理を継続する。
【０１７３】
図２５は、図２４に示した処理を施したときの表示画面を示したものである。３Ｄ変換部１７０４は、表示映像を構成するオブジェクトのうち、メニューオブジェクト２２０３の奥行き位置よりも大きな値である奥行き位置を有するオブジェクト２３０２に対して、メニューオブジェクト２２０３の奥行き位置よりも小さな値をとるように奥行き位置を変更する。
【０１７４】
そのため、メニューオブジェクト２２０３よりも前方に移動しようとするオブジェクト２３０２の奥行き位置を変更することにより、メニューオブジェクト２２０３の表示は遮られないようになる。
【０１７５】
なお、オブジェクト２３０２の奥行き位置の制御に関しては、図２５に示したオブジェクト２３０２の動きを示した矢印に限らず、一例を示したものである。
【０１７６】
なお、図２４に示した処理手順のステップＳ２４０４で、メニューオブジェクト２２０３の奥行き位置よりも大きな値をとる奥行き位置を有するオブジェクト２３０２があれば、メニューオブジェクト２２０３の奥行き位置をオブジェクトの奥行き位置よりも大きくなるように変更してもよい。
【０１７７】
また、図２４に示した処理手順のステップＳ２４０４で、メニューオブジェクト２２０３の奥行き位置より大きな奥行き位置を有するオブジェクト２３０２があれば、そのオブジェクト２３０２の表示色を映像信号処理部１０５において半透明に変更するようにしてもよい。半透明に変更することにより、オブジェクト２３０２がメニューよりも手前に移動しても、視聴者はメニューの表示を見ることができる。
【０１７８】
なお、図２６に示すように、メニューオブジェクト２２０３の手前に新たにオブジェクト２６０１が現れる場合もある。このような場合にも、図２４に示した処理手順に従うことにより、手前に新たに現れるはずのオブジェクト２６０１をメニューオブジェクト２２０３の奥側に移動させた上でオブジェクト２６０２として表示させることができる。
【０１７９】
なお、図２４に示した処理は、メニューオブジェクト２２０３のように複数のオブジェクトから構成されるオブジェクトだけでなく、例えば第１の実施の形態で述べたような１つから成るオブジェクトに対しても適応できるものである。
【０１８０】
ところで、図２２において、視聴者が入力部１０７からメニューに表示されている項目ボタンを選択しているとき、メニュー変換部１７０５は選択している項目ボタンオブジェクトの奥行き幅を広くすることにより、更に見やすいメニュー表示を行うことができる。
【０１８１】
以下、メニュー変換部１７０５の処理手順について、図２２とともに図２７を用いて説明を行う。
【０１８２】
まず、入力部１０７から現在視聴者が選んでいる項目ボタンオブジェクトのオブジェクトＩＤを受け取る（ステップＳ２７０１）。例えば、図２２において項目Ａボタンオブジェクト１６０２を選択したとする。
【０１８３】
次に、受け取ったオブジェクトＩＤを有する項目Ａボタンオブジェクト１６０２をメニュー変換部１７０５から探し出す（ステップＳ２７０２）。
【０１８４】
次に、探し出した項目Ａボタンオブジェクト１６０２の奥行き幅を広くして、奥行き位置が前面に出るように、オブジェクト表示情報を変更する（ステップＳ２７０３）。
【０１８５】
なお、変更方法については、例えば第１の実施の形態のように行えばよい。その際、奥行き位置が前面に出るようにして奥行き幅を広めるために、例えば、（（１−倍率値）×（オブジェクトを構成するドットのうち最小値のｚ軸座標値）＋（倍率値）×（各ドットのｚ軸座標値））に基づいて変更することが望ましい。この式によれば、オブジェクトの奥行き幅を変更する際に、オブジェクトの奥行き位置が変更される。
【０１８６】
そして、変更したオブジェクト表示情報を映像信号処理部１０５に出力する（ステップＳ２７０４）。
【０１８７】
図２８は、図２２の後に、視聴者がメニューオブジェクト２２０３のうち項目Ａボタンオブジェクト１６０２を選んでいる状態を示すものである。図２８によれば、視聴者が現在どのボタンを選択しているのかが瞬時に分かり、操作性が向上するものである。また、項目Ａボタンオブジェクト１６０２は、メニューオブジェクト２２０３よりも前方に出ているため、他の項目ボタンオブジェクトよりも若干大きく表示されて見える。
【０１８８】
なお、図２８では選択した項目Ａボタンオブジェクト２６０１を、その奥行き幅を広めることにより他の項目ボタンオブジェクトよりも強調して表示したが、選択した項目Ａボタンオブジェクト２６０１以外の、項目Ｂボタンオブジェクト１６０３、項目Ｃボタンオブジェクト１６０４、項目Ｄボタンオブジェクト１６０５の奥行き幅を狭めて表示してもよい。
【０１８９】
また、制御部１７０２は、項目Ａボタンオブジェクト２６０１の奥行き位置を更に前面に移動するように、項目Ａボタンオブジェクト２６０１のオブジェクトデータを変更するようにしてもよい。その結果、項目Ａボタンオブジェクト２６０１は前面に表示され、また他の項目ボタンオブジェクトよりも大きく表示されて見え、視聴者が現在どのボタンを選択しているのかが瞬時に分かり、操作性が向上する。
【０１９０】
また、制御部１７０２は、項目Ｂボタンオブジェクト１６０３、項目Ｃボタンオブジェクト１６０４、項目Ｄボタンオブジェクト１６０５の奥行き位置を更に奥側に移動するように、それぞれの項目ボタンオブジェクト１６０３、１６０４、１６０５のオブジェクトデータを変更するようにしてもよい。
【０１９１】
ところで、視聴者が入力部１０７により項目Ａボタンオブジェクト１６０２を選択決定したとき、さらに新たな下位階層のメニューが表示される。
【０１９２】
このように、上位階層に対して下位階層メニューが表示されたとき、上位階層のメニューオブジェクト２２０３に対して下位階層のメニューオブジェクトの奥行き幅を更に広く設定することにより、更に視聴者にとって見やすいメニュー表示を行うことができる。
【０１９３】
なお、第３の実施の形態における以下の説明において、メニューオブジェクトのリンクオブジェクトＩＤ格納情報に記載のオブジェクトＩＤを有するメニューオブジェクトのことを下位階層のメニューオブジェクトとし、リンクオブジェクトＩＤ格納情報に下位階層のメニューオブジェクトのオブジェクトＩＤを有するメニューオブジェクトのことを下位
階層のメニューオブジェクトに対して上位階層のメニューオブジェクトとする。
【０１９４】
そこで、メニュー変換部１７０５の処理手順について述べ、そのフローを図２９に示し、説明する。
【０１９５】
まず、入力部１０７から、視聴者が選択した項目ボタンオブジェクトのオブジェクトＩＤを受け取る（ステップＳ２９０１）。
【０１９６】
次に、項目ボタンオブジェクトのオブジェクトＩＤを有する項目ボタンオブジェクトを探し出す（ステップＳ２９０２）。
【０１９７】
次に、探し出した項目ボタンオブジェクトのリンクオブジェクトＩＤ格納情報を読みとる（ステップＳ２９０３）。
【０１９８】
次に、リンクオブジェクトＩＤ格納情報に指定されたオブジェクトＩＤを有するオブジェクトを制御部１７０２を通じて記憶部１７０３から取得する（ステップＳ２９０４）。
【０１９９】
次に、制御部１７０２から取得したオブジェクトの奥行き幅が広まるようにオブジェクト表示情報を変更する（ステップＳ２９０５）。なお、変更方法については、既に第１の実施の形態で述べたのでここでは説明を省略する。
【０２００】
そして、変更したオブジェクト表示情報を映像信号処理部１０５に出力する（ステップＳ２９０６）。
【０２０１】
次に、図２９に示した処理手順を、図２２に示した表示映像に基づいて説明する。
【０２０２】
まず、入力部１０７から、視聴者が項目Ａボタンオブジェクト１６０２を選択決定する。
【０２０３】
その後、メニュー変換部１７０５は、項目Ａボタンオブジェクト１６０２のオブジェクトデータを探し出す。
【０２０４】
次に、項目Ａボタンオブジェクト１６０２のリンクオブジェクトＩＤ格納情報を読みとり、次に表示する下位階層のメニューオブジェクトのオブジェクトＩＤを取得する。この場合、リンクオブジェクトＩＤ格納情報に「９１０」という情報が格納されているとする。
【０２０５】
メニュー変換部１７０５は、制御部１７０２を介して、新たな下位階層としてオブジェクトＩＤ「９１０」を有するオブジェクトを表示するためのオブジェクトデータを記憶部１７０３から取得する。
【０２０６】
次に、上位階層に対して下位階層のメニューオブジェクトの奥行き幅を広く表示するために、奥行き幅を変更する。なお、本実施の形態では上位階層に対して一つ下位である階層のメニューオブジェクトの奥行き幅を２倍に変更するものとする。また、上位階層に対する下位階層のメニューオブジェクトの奥行き幅は、視聴者がリモコン等の制御装置から入力を行い設定してもよいし、視聴者等により予め設定してもよいものとする。
【０２０７】
そして、変更された下位階層のメニューオブジェクトのオブジェクトデータは映像信号処理部１０５に出力され、表示される。
【０２０８】
図２９に示した処理手順の結果、図３０に示す表示映像が得られる。
【０２０９】
図３０には、上位階層であるメニューオブジェクト２２０３に対して、その下位階層であるメニューオブジェクト３００１が表示されたものである。図３０によれば、視聴者が最も注視する可能性が高い、つまり視聴者の注目度が高いと考えられる下位階層メニューオブジェクト２８０１の奥行き幅を上位階層メニューオブジェクト２２０３よりも広くすることにより、映像を構成する他のオブジェクトと表示が差別化され、操作性が向上する。
【０２１０】
なお、上記では、下位階層のメニューオブジェクト３００１を際立たせて表示するために、上位階層に対して下位階層のメニューオブジェクト３００１の奥行き幅を広めて表示したが、逆に上位階層のメニューオブジェクト２２０３の奥行き幅を下位階層のメニューオブジェクト３００１の奥行き幅に対して狭めて表示してもよい。このとき、図２９に示した処理手順において、ステップＳ２９０２において、メニュー項目選択部１７８から受け取った項目Ａボタンオブジェクト１６０２のオブジェクトＩＤを有する項目ボタンオブジェクト以外の項目ボタンオブジェクトを探し出し、ステップＳ２９０３、ステップＳ２９０４の後、ステップＳ２９０５において制御部１７０２から取得したオブジェクトの奥行き幅が狭まるようにオブジェクト表示情報を変更して、ステップＳ２９０６を行っても良い。
【０２１１】
要は、下位階層のメニューオブジェクト３００１を際立たせて表示するために、上位階層のメニューオブジェクト２２０３の奥行き幅と比較して、下位階層のメニューオブジェクト３００１の奥行き幅が広くなっていればよい。
【０２１２】
以上から、第３の実施の形態によれば、メニューオブジェクトのような、指定されたオブジェクトを最前面に表示し、指定されたオブジェクトを構成するオブジェクト以外のオブジェクトの奥行き幅を狭めて表示することにより、指定されたオブジェクトが見やすくなる。さらに、指定されたオブジェクトを他のオブジェクトにより表示が遮られなくすることができる。
【０２１３】
また、視聴者が注目したいと考える、例えば項目ボタンのようなオブジェクトや下位階層のオブジェクトの奥行き位置が前面に出てくるように、これらのオブジェクトの奥行き幅を広くすることにより、指定されたオブジェクトの視認性を向上することができる。
【０２１４】
（第４の実施の形態）
第４の実施の形態は、視聴者が関心を持つ可能性が高いと考えられるオブジェクト自体の奥行き幅を調整することにより、見やすい映像を提供するものである。
【０２１５】
そこで、本発明をチャンネルとそのチャンネルに対応する放送番組が表示される放送番組一覧表示に適用した例を説明する。この放送番組一覧表示は、視聴者は視聴率の高い番組ほど関心があるという観点から、番組名を表示する際に、その番組の視聴率を反映させた表示を行うものである。換言すれば、番組の視聴率を注目度として見なし、視聴者の視聴率、つまり注目度が高い番組名を表示しているオブジェクトの奥行き幅ほど、その幅が広くなるようにオブジェクトのオブジェクトデータを変更するものである。
【０２１６】
図３１は、放送番組一覧表示を行う放送番組一覧オブジェクト３１０１であり、放送番組一覧オブジェクト３１０１はチャンネル表示オブジェクト３１０２、番組名表示オブジェクト３１０３、放送時刻表示オブジェクト３１０４により構成されている。
【０２１７】
図３２は、放送番組一覧表示を行う受信装置３２０１であり、受信部１０２と分離部１
０３、デコーダ１０４、映像信号処理部１０５、入力部１０７、制御部３２０２、番組一覧制御部３２０３、記憶部１０８、視聴率記憶部３２０４、３Ｄ変換部３２０５、表示部１１０を備えている。なお、図３２において、図１と同様の構成には同一番号を付し、説明は図１のものを援用する。
【０２１８】
視聴率記憶部３２０４は、送信装置やインターネット等から送信される各番組の視聴率を格納する。そして、後述する番組名表示オブジェクト３１０３のチャンネル表示情報に格納されているチャンネルに対応する番組の視聴率を、番組名表示オブジェクト３１０３の視聴率情報に書き込む。
【０２１９】
制御部３２０２は、入力部１０７から放送番組一覧表示要求が出されたとき、記憶部１０８から放送番組一覧オブジェクト３１０１とチャンネル表示オブジェクト３１０２、番組名表示オブジェクト３１０３、放送時刻表示オブジェクト３１０４のオブジェクトデータを取得し、番組一覧制御部３２０３に出力する。
【０２２０】
番組一覧制御部３２０３は、制御部３２０２から出力される放送番組一覧オブジェクト３１０１のオブジェクトデータと番組名表示オブジェクト３１０３を受け取る。そして、放送番組一覧オブジェクト３１０１を構成する番組名表示オブジェクト３１０３に対して所定の処理を行い、映像信号処理部１０５に出力する。
【０２２１】
図３３には、放送番組一覧オブジェクト３１０１のオブジェクトデータが示されており、オブジェクトＩＤ３３０１と、構成オブジェクトＩＤ情報３３０２と、オブジェクト表示情報３３０３が格納されている。構成オブジェクトＩＤ情報３３０２には、放送番組一覧オブジェクト３１０１を構成するオブジェクトのオブジェクトＩＤが格納されている。
【０２２２】
また、図３４には、番組名表示オブジェクト３１０３のオブジェクトデータが示されており、オブジェクトＩＤ３４０１と、チャンネル表示情報３４０２と、視聴率情報３４０３と、オブジェクト表示情報３４０４により構成されている。
【０２２３】
チャンネル表示情報３４０２には、番組が放送されるチャンネルが格納されている。視聴率情報３４０３には、そのチャンネルで放送される番組の視聴率が格納されている。また、オブジェクト表示情報３４０４には、番組の番組名を表示するためのデータが格納されている。
【０２２４】
なお、チャンネル表示オブジェクト３１０２、放送時刻表示オブジェクト３１０４のオブジェクトデータは、図２で示したものと同様の構成であり、オブジェクト表示情報に表示する文字データが格納されている。
【０２２５】
次に、第４の実施の形態の受信装置３２０１が行う処理手順について述べ、そのフローを図３５に示す。
【０２２６】
まず、視聴者は入力部１０７から放送番組一覧オブジェクト３１０１の表示要求をする（ステップＳ３５０１）。
【０２２７】
次に、制御部３２０２は記憶部１０８から放送番組一覧オブジェクト３１０１のオブジェクトデータを取得する（ステップＳ３５０２）。
【０２２８】
さらに、放送番組一覧オブジェクト３１０１の構成オブジェクトＩＤ情報から、必要なチャンネル表示オブジェクト３１０２、番組名表示オブジェクト３１０３、放送時刻表示オブジェクト３１０４のＩＤを取得し、記憶部１０８からそれらを取得する（ステップＳ
３５０３）。
【０２２９】
そして、放送番組一覧オブジェクト３１０１とチャンネル表示オブジェクト３１０２、番組名表示オブジェクト３１０３、放送時刻表示オブジェクト３１０４のオブジェクトデータを番組一覧制御部３２０３に出力する（ステップＳ３５０４）。
【０２３０】
番組一覧制御部３２０３は、番組名表示オブジェクト３１０３の視聴率情報３４０３から視聴率を取得し、各番組の視聴率に応じて番組名表示オブジェクト３１０３の奥行き幅を設定する（ステップＳ３５０５）。例えば、視聴率が１％であるときのオブジェクトの奥行き幅を予め決めておき、各番組の視聴率に対して（視聴率）×（視聴率が１％であるときの奥行き幅）に基づいてそれぞれの番組名を表すオブジェクトの奥行き幅を決定する。
【０２３１】
映像信号処理部１０５は、番組一覧制御部３２０３で設定された奥行き幅に基づきメニューの立体映像を作成する（ステップＳ３５０６）。作成された立体映像は表示部１１０を介して表示される（ステップＳ３５０７）。
【０２３２】
なお、放送番組一覧オブジェクト３１０１以外の表示映像を構成しているオブジェクトに関しては、第１の実施の形態及び第２の実施の形態に示した処理が行われている。しかし、放送番組一覧が全画面に表示されるのであれば、特にその処理は行われなくてもよい。
【０２３３】
次に、上記処理を行った結果表示される表示映像について図３６をもとに説明を行う。
【０２３４】
図３６は、左端にチャンネル数を表示するチャンネル表示オブジェクト３１０２と、各チャンネルに対応した放送時刻表示オブジェクト３１０４と番組名表示オブジェクトが配置されている。そして、チャンネル１００で放送される「Ｐｒｏｇｒａｍ  Ａ」という番組を表示している番組名表示オブジェクト３６０１の奥行き幅が最も広く、次いで「Ｐｒｏｇｒａｍ  Ｄ」を表示している番組名表示オブジェクト３６０２と「Ｐｒｏｇｒａｍ  Ｅ」を表示している番組名表示オブジェクト３６０３、「Ｐｒｏｇｒａｍ  Ｂ」を表示している番組名表示オブジェクト３６０４と「Ｐｒｏｇｒａｍ  Ｃ」を表示している番組名表示オブジェクト３６０５という順番で奥行き幅が狭くなっている。
【０２３５】
これは、表示されている番組名の視聴率に基づき決定されたもので、視聴率が高い番組であるほど番組名表示オブジェクトの奥行き位置が前面に出でくるように奥行き幅を広くすることによって、視聴者の関心が高いと考えられる高視聴率番組を目立ちやすく表示している。
【０２３６】
なお、視聴率により番組名表示オブジェクトの奥行き幅を決定する場合を説明したが、視聴率に限るものではない。例えば、視聴者が一定期間に見る番組の回数に基づき奥行き幅を決定したり、予めお好みの番組を登録しておき、放送番組一覧表の中にお好みの番組が表示されたとき、その番組を表示しているオブジェクトが、例えば他の番組を表示しているオブジェクトよりも前面に出てくるように奥行き幅を広くなるように設定してもよい。また、視聴者が予めお好みの番組ジャンルを入力しておき、その番組ジャンルの番組を表示しているオブジェクトが前面に出てくるように奥行き幅を広くなるように設定してもよい。
【０２３７】
また、番組名表示オブジェクトを前面に出てくるように表示するためには、例えば第１の実施の形態で述べたような処理により、番組名表示オブジェクトの奥行き位置を前面に出してもよい。
【０２３８】
なお、視聴率が高い番組であるほど番組名表示オブジェクトの奥行き位置が前面に出でくるように奥行き幅を広くしたが、視聴率が低い番組であるほど番組名表示オブジェクトの奥行き位置が奥側に引っ込むように奥行き幅を狭くしてもよい。
【０２３９】
以上から、第４の実施の形態によれば、視聴者が関心を持つ可能性が高いと考えられるオブジェクトの奥行き位置ほど、より前面に出るように調整することにより、見やすい映像を提供できる。
【０２４０】
特に、放送番組が表示される放送番組一覧表示に適用することにより、視聴者の関心の高い番組が際立って表示することができる。
【０２４１】
（第５の実施の形態）
第５の実施の形態は、第１の実施の形態等で述べたオブジェクトに対する処理を、多画面表示に応用したものである。
【０２４２】
多画面表示とは、１つの表示画面上に複数の表示小画面を表示するものである。視聴者は、複数の表示小画面のうち一つの表示小画面を選択し、その表示小画面を通して映像を観ることができる。また、それぞれの表示小画面には別々の内容の映像が映し出されている。
【０２４３】
第５の実施の形態では、説明を簡便にするために２つの表示小画面を有する多画面表示を行う場合を例にとる。
【０２４４】
多画面表示を行うために、多画面一覧オブジェクトを用いる。図３７は、多画面一覧オブジェクト３７０１を表すものであり、多画面一覧オブジェクト３７０１は表示小画面を映し出すための画面オブジェクト３７０２、３７０３から構成されている。さらに、画面オブジェクト３７０２、３７０３は、画面オブジェクト３７０２、３７０３を備えるオブジェクト３７０４，３７０５から構成されている。また、画面オブジェクト３７０２、３７０３を構成するオブジェクトト３７０４，３７０５の奥行き位置と奥行き幅が分かるように、ｘ軸座標軸とｚ軸座標軸を示す。
【０２４５】
図３８は、多画面一覧表示機能を有する受信装置３８０１の構成を示すものである。受信装置３８０１は、受信部１０２、分離部１０３、デコーダ１０４、記憶部３８０２、制御部３８０３、入力部１０７、多画面生成部３８０４、映像格納部３８０５、映像信号処理部１０５、多画面３Ｄ変換部３８０６、表示部１１０を備えている。
【０２４６】
制御部３８０３は、入力部１０７から多画面一覧表示の表示要求が出されたとき、記憶部３８０２から多画面一覧オブジェクト３７０１と多画面一覧オブジェクト３７０１を構成する画面オブジェクト３７０２、３７０３を取得し、多画面３Ｄ変換部３８０６に出力する。更に、視聴者が現在選択している画面オブジェクトのオブジェクトＩＤも、選択が切り替えられる度に多画面３Ｄ変換部３８０６に出力される。
【０２４７】
また、制御部３８０３はそれぞれの表示小画面に映し出される映像の映像信号を取得するために、一定時間毎に画面オブジェクトに対応した映像信号を受信するように受信部１０２を制御する。
【０２４８】
更に、制御部３８０３は、受信部１０２で受信している映像信号から得られるオブジェクトによって構成される画面オブジェクトのオブジェクトＩＤを多画面生成部３８０４に出力する。
【０２４９】
多画面生成部３８０４は、デコーダ１０４から出力される映像信号に対して、所定の処理を行った後、その映像信号を映像格納部３８０５または多画面３Ｄ変換部３８０６に出力する。
【０２５０】
映像格納部３８０５は、多画面生成部３８０４から映像格納部３８０５へ出力された映像信号と、多画面生成部３８０４から多画面３Ｄ変換部３８０６へ出力される映像信号とが同時に多画面３Ｄ変換部３８０６へ出力されるために設けられたものである。従って、多画面生成部３８０４から多画面３Ｄ変換部３８０６へ出力される映像信号に合わせて、映像格納部３８０５に格納された映像信号は多画面３Ｄ変換部３８０６に出力される。
【０２５１】
多画面３Ｄ変換部３８０６は、現在視聴者によって選択されている画面オブジェクト以外の画面オブジェクトを構成するオブジェクトに対して、奥行き幅が更に狭くなるようにオブジェクトデータに変更を行い、そのオブジェクトデータを映像信号処理部１０５へ出力する。
【０２５２】
なお、入力部１０７から多画面一覧表示の表示要求が出されていないときは、デコーダ１０４から出力された信号は多画面生成部３８０４を通り、多画面３Ｄ変換部３８０６へ出力する。多画面３Ｄ変換部３８０６では、第１の実施の形態等で述べた３Ｄ変換部と同様の処理を行い、表示映像を構成するオブジェクトのオブジェクトデータに対して処理が行える。
【０２５３】
次に、図３８に示した受信装置３８０１が扱うオブジェクトデータについて説明する。
【０２５４】
まず、多画面一覧オブジェクト３７０１のオブジェクトデータは、図３９に示すように、オブジェクトＩＤ３９０１と、構成画面オブジェクトＩＤ情報３９０２と、オブジェクト表示情報３９０３から構成されている。構成画面オブジェクトＩＤ情報３９０２には、多画面一覧オブジェクト３７０１を構成する画面オブジェクト３７０２、３７０３のオブジェクトＩＤが格納されている。
【０２５５】
また、画面オブジェクト３７０２、３７０３のオブジェクトデータは、図２で述べた構成と同様のものとする。
【０２５６】
また、多画面生成部３８０４は、デコーダ１０４から出力される映像信号に含まれるそれぞれのオブジェクトデータについて、図２に示されるようなオブジェクトデータから、図４０に示すようなオブジェクトデータに変換する。変換されたオブジェクトデータは、オブジェクトＩＤ４００１と画面オブジェクトＩＤ情報４００２、オブジェクト表示情報４００３から構成されている。画面オブジェクトＩＤ情報４００２には、オブジェクトＩＤ４００１を有するオブジェクトがどの画面オブジェクトに属するものであるかの識別を行えるように、画面オブジェクトのオブジェクトＩＤが格納されている。
【０２５７】
次に、第５の実施の形態の受信装置３８０１が行う処理手順について述べ、そのフローを図４１に示し、図３７とともに説明する。なお、以下の説明において、画面オブジェクト３７０２、３７０３のオブジェクトＩＤをそれぞれ「１００１」、「１００２」とする。  まず、視聴者は入力部１０７から多画面一覧の表示要求を行う（ステップＳ４１０１）。
【０２５８】
次に、制御部３８０３は、記憶部３８０２から多画面一覧オブジェクトのオブジェクトデータを取得する（ステップＳ４１０２）。
【０２５９】
次に、制御部３８０３は多画面一覧オブジェクトの構成オブジェクトＩＤ情報から必要な画面オブジェクトを記憶部３８０２から取得し、多画面３Ｄ変換部３８０６に出力する（ステップＳ４１０３）。
【０２６０】
次に、制御部３８０３は、入力部１０７から出力された現在視聴者が選択している画面オブジェクトのオブジェクトＩＤを受け取り、多画面３Ｄ変換部３８０６へ出力する（ステップＳ４１０４）。図３７に則すると、視聴者が画面オブジェクト３７０２を選択しているとすると、制御部３８０３は画面オブジェクト３７０２のオブジェクトＩＤ「１００１」を受け取り、多画面３Ｄ変換部３８０６へ出力する。
【０２６１】
また、制御部３８０３は、受信部１０２に対して受信するチャンネルを指定するとともに、指定したチャンネルを表示している画面オブジェクトのオブジェクトＩＤを多画面生成部３８０４に出力する（ステップＳ４１０５）。
【０２６２】
図３７に則すと、制御部３８０３は、まずチャンネルが２である画面オブジェクト３７０３を構成するオブジェクトを受信するように受信部１０２を制御し、画面オブジェクト３７０３のオブジェクトＩＤ「１００２」を多画面生成部３８０４に出力する。
【０２６３】
次に、多画面生成部３８０４は、制御部３８０３から受け取った画面オブジェクト３７０３のオブジェクトＩＤ「１００２」を、デコーダ１０４から出力されている映像信号に含まれるオブジェクトデータに付加して、図４０に示すようなオブジェクトデータに変換し、映像格納部３８０５に出力する（ステップＳ４１０６）。なお、映像格納部３８０５に格納された映像信号は、他の映像信号が多画面生成部３８０４から多画面３Ｄ変換部３８０６に出力されるまでの間、格納される。
【０２６４】
次に、制御部３８０３は、受信部１０２に対してステップＳ４１０６で指定したチャンネル以外のチャンネルを指定するとともに、多画面生成部３８０４に対して指定したチャンネルを表示している画面オブジェクトのオブジェクトＩＤを出力する（ステップＳ４１０７）。
【０２６５】
図３７に則すと、制御部３８０３は、受信部１０２に対してチャンネルが１である映像信号を受信するように制御し、多画面生成部３８０４に対してチャンネルが１である映像を表示している画面オブジェクト３７０２のオブジェクトＩＤ「１００１」を出力する。
【０２６６】
次に、多画面生成部３８０４は、制御部３８０３から受け取った画面オブジェクト３７０２のオブジェクトＩＤ「１００１」を、デコーダ１０４から出力されている映像信号に含まれるオブジェクデータに付加して、図４０に示すようなオブジェクトデータに変換し、多画面３Ｄ変換部３８０６に出力する。この時、ステップＳ４１０６で述べた映像格納部３８０５に格納されていた映像信号も多画面３Ｄ変換部３８０６に同時に出力される（ステップＳ４１０８）。
【０２６７】
多画面３Ｄ変換部３８０６は、制御部３８０３から出力された現在視聴者が選択している画面オブジェクト３７０２のオブジェクトＩＤと、多画面生成部３８０４あるいは映像格納部３８０５から送られる変換されたオブジェクトデータの画面オブジェクトＩＤ情報とを比較し（ステップＳ４１０９）、一致しない画面オブジェクトＩＤ情報を有する変換されたオブジェクトデータに対して、オブジェクト３７０５の奥行き幅を狭めるように設定し、映像信号処理部１０５へ出力する（ステップＳ４１１０）。
【０２６８】
図３７に則すと、ステップＳ４１０４で受け取った視聴者が選択している画面オブジェクト３７０２のオブジェクトＩＤ「１００１」と、ステップＳ４１０８より多画面生成部
３８０４から送られる変換されたオブジェクトデータの画面オブジェクトＩＤ情報である「１００１」と、ステップＳ４１０６より映像格納部３８０５から送られる変換されたオブジェクトデータの画面オブジェクトＩＤ情報である「１００２」とを比較する。
【０２６９】
そして、多画面３Ｄ変換部３８０６は、ステップＳ４１０４で受け取ったオブジェクトＩＤ「１００１」を有さないＩＤ情報を格納しているオブジェクト、即ち、変換されたオブジェクトデータの画面オブジェクトＩＤ情報に「１００２」が格納されているオブジェクトの奥行き幅を狭めるように設定し、映像信号処理部１０５へ出力する。
そして、映像信号処理部１０５で立体映像を作成し（ステップＳ４１１１）、表示部１１０において表示する（ステップＳ４１１２）。
【０２７０】
なお、ステップＳ４１１０において、オブジェクト３７０４の奥行き幅を狭めるために記憶部３８０２から予め設定された倍率値を用いてもよいし、また、視聴者が数値入力を行ったり、図７や図８で述べたような操作ハンドルを備えたリモコンにより設定してもよい。
【０２７１】
次に、上記した処理手順による表示映像について説明を行う。
【０２７２】
図４２は、図３７において、視聴者が入力部１０７から画面オブジェクト３７０２を選択したときの表示結果示すものであり、画面オブジェクト３７０２は画面オブジェクト４２０２に、画面オブジェクト３７０３は画面オブジェクト４２０３に対応している。また、画面オブジェクト４２０２はオブジェクト４２０４から構成されており、画面オブジェクト４２０３はオブジェクト４２０５から構成されている。
【０２７３】
図４２では、画面オブジェクト４２０３を構成しているオブジェクト４２０５の奥行き幅は狭めて表示されている。
【０２７４】
その結果、画面オブジェクト４２０２を構成するオブジェクト４２０４は画面オブジェクト４２０３を構成するオブジェクト４２０５と比較して際立って表示され、視聴者は選択した画面オブジェクト４２０２をすぐに認識することができる。
【０２７５】
なお、第５の実施の形態では、説明を簡便にするために２つの表示小画面を有する多画面表示を例に挙げたが、２つ以上の表示小画面を有した多画面表示でもよい。
【０２７６】
以上から、第５の実施の形態によれば、複数の画面オブジェクトから構成される多画面一覧オブジェクトにおいて、選択した画面オブジェクト以外の画面オブジェクトを構成するオブジェクトの奥行き幅を狭めることにより、選択した画面オブジェクトからの表示映像が際立って表され、視聴者は選択した表示小画面が見やすくなる。
【０２７７】
（第６の実施の形態）
第６の実施の形態は、オブジェクトデータを送信する送信装置と、第１の実施の形態等で述べたようにそのオブジェクトデータを受信し、そのオブジェクトデータの奥行き方向に関する情報に関して変更を行える受信装置とから構成される放送システムであり、例えばBSデジタル放送を実現する衛星放送システム等である
さらに、送信装置側において、番組制作者等が特定のオブジェクトを指定し、受信装置ではその特定されたオブジェクト以外で受信装置の表示映像に映っているオブジェクトの奥行き方向に関する情報について変更できるようなデータを送信する送信装置と、そのデータに基づいてオブジェクトの処理を行うことができる受信装置とを備えた放送システムである。
【０２７８】
図４３は、第６の実施の形態である放送システムの構成を示すものである。放送システム４３０１は、送信装置４３０２と受信装置４３０３を備える。
【０２７９】
送信装置４３０２は、音声信号送出部４３０４と映像信号送出部４３０５、多重化部４３０６、変調部４３０７、送信部４３０８を備えている。
【０２８０】
また、受信装置４３０３は、受信部１０２と分離部１０３、デコーダ１０４、映像信号処理部１０５、制御部１０６、入力部１０７、記憶部１０８、３Ｄ変換部１０９、表示部１１０を備えている。
【０２８１】
まず、送信装置４３０２について説明を行う。音声信号出力部４３０４と映像信号出力部４３０５からは映像表示を行うための音声信号とオブジェクトデータを含む映像信号が出力される。なお、映像信号は必ずしもオブジェクトデータを含むものでなくてもよく、平面的な映像の表示を行うためのデータも扱うことができる。
【０２８２】
そして、多重化部４３０６は、音声信号出力部４３０４と映像信号出力部４３０５から出力される信号を多重化する。多重化された信号は、変調部４３０７で変調され、送信される。
【０２８３】
一方、受信装置４３０３は、送信装置４３０２から送信されてくる信号を受信して以下その処理を行うが、その処理については、第１の実施の形態等で述べた処理手順をと同様であるので、ここでは説明を省略する。なお、図４３に示した受信装置４３０３は、第１の実施の形態と第２の実施の形態で挙げた受信装置を示したが、第３の実施の形態で述べた図１７の受信装置や、第４の実施の形態で述べた図３０の受信装置、第５の実施の形態で述べた図３６の受信装置でもよい。
【０２８４】
次に、送信装置側において、番組制作者等が特定のオブジェクトを指定し、受信装置ではその特定されたオブジェクト以外で受信装置の表示映像に映っているオブジェクトの奥行き方向に関する情報について変更できるようなデータを送信する送信装置と、そのデータに基づいてオブジェクトの処理を行うことができる受信装置とを備えた放送システムについて述べる。
【０２８５】
図４４は、第６の実施の形態である放送システムの構成を示すものである。放送データ通信システム４４０１は、送信装置４４０２と受信装置４４０３を備える。
【０２８６】
送信装置４４０２は、音声信号送出部４３０４と映像信号送出部４３０５、映像付加情報送出部４４０６、操作部４４０７、多重化部４３０６、変調部４３０７、送信部４３０８を備えている。
【０２８７】
また、受信装置４４０３は、受信部１０２と分離部１０３、デコーダ１０４、映像信号処理部１０５、制御部１０６、入力部１０７、記憶部１０８、３Ｄ変換部４４１２、表示部１１０を備えている。
【０２８８】
まず、送信装置４４０２について説明を行う。番組制作者は操作部４４０７を通して、例えば図４５に示すような編集画面４５０１を用いて映像中のオブジェクトを選択し、そのオブジェクトに対して第１の実施の形態等で述べた処理を受信装置において行うように指定することができる。
【０２８９】
編集画面４５０１には視聴者が視聴する表示映像が映し出される表示画面４５０２と、
詳細なオブジェクトデータが表示されるデータ表示画面４５０３がある。番組制作者が、表示映像から表示画面４５０２に映し出されているオブジェクト４５０４を選択したとき、データ表示画面４５０３にはオブジェクト４５０４の奥行き位置や奥行き幅等が表示され、自由に変更することができる。また、倍率値と差分値に関しても、表示画面４５０２を確認しながら設定を行うことができる。
【０２９０】
操作部４４０７で決定した操作内容を示すデータは映像付加情報送出部４４０６に出力され、映像付加情報送出部４４０６では、操作内容を示すデータに基づき図４６に示すオブジェクトデータを作成する。
【０２９１】
図４６に示すオブジェクトデータは、オブジェクトＩＤ４６０１、操作コード４６０２、設定値４６０３、オブジェクト表示情報４６０４から構成される。
【０２９２】
操作コード４６０２は、オブジェクトＩＤ４６０１により指定されたオブジェクト以外のオブジェクトに対してどのような処理を行うかを指定するための数値が格納されている。操作コード４６０２が１であるとき、設定値４６０３は第１の実施の形態で述べた倍率値を示すものとする。また、操作コード４６０２が２であるとき、設定値４６０３は第２の実施の形態で述べた差分値を示すものとする。また、操作コード４６０２が０であるときは、第１の実施の形態等で述べた処理を行わないものとする。
【０２９３】
送信装置４４０２は、音声信号送出部４３０４から出力された音声信号と映像信号送出部４３０５から出力された映像信号以外に、もし映像付加情報送出部４４０６からオブジェクトデータが出力されたとき、映像信号と映像信号とオブジェクトデータを多重化部４３０６で多重化する。多重化部４３０６で多重化された信号は変調部４３０７で変調され、送信部４３０８で送信される。
【０２９４】
受信装置は図４６に示すようなオブジェクトデータを含む送信信号を受信したとき、図４７に示す処理手順により処理を行う。
【０２９５】
３Ｄ変換部４４１２は、デコーダ１０４から出力されたオブジェクトデータのうち操作コード４６０２を読み取り、操作コードが０であるかを調べる（ステップＳ４７０１）。
【０２９６】
操作コード４６０２が０であるときは（ステップＳ４７０１でＹ）、第１の実施の形態、第２の実施の形態で述べた処理は行われず、オブジェクトデータを映像信号処理部１０５に出力する（ステップＳ４７０２）。
【０２９７】
そして、映像信号処理部１０５は、３Ｄ変換部４４１２から受け取ったオブジェクトデータに基づいて立体映像を作成する（ステップＳ４７０３）。
【０２９８】
表示部１１０は、映像信号処理部１０５で作成された立体映像を表示する（ステップＳ４７０４）。
【０２９９】
ステップＳ４７０１において、読み取った操作コード４６０２の値が０でなければ（ステップＳ４７０１でＮ）、操作コード４６０２が１であるかを調べる（ステップＳ４７０５）。
【０３００】
操作コード４６０２が１であったとき（ステップＳ４７０５でＹ）、そのオブジェクトデータのうちオブジェクトＩＤと設定値４６０３から数値を読み込む（ステップＳ４７０６）。
【０３０１】
そして、ステップＳ４７０６で読み込んだオブジェクトデータ以外で、操作コードや設定値を含んでいないオブジェクトデータを有するオブジェクトの奥行き幅を設定値４６０３の数値分だけ変更し、映像信号処理部１０５に出力する（ステップＳ４７０７）。
【０３０２】
映像信号処理部１０５は、３Ｄ変換部４４１２から受け取ったオブジェクトデータに基づいて立体映像を作成する（ステップＳ４７０３）。
【０３０３】
表示部１１０は、映像信号処理部１０５で作成された立体映像を表示する（ステップＳ４７０４）。
【０３０４】
ステップＳ４７０５において、読み取った操作コード４６０２の値が１でなければ（ステップＳ４７０５でＮ）、操作コード４６０２が２であるかを調べる（ステップＳ４７０８）。
【０３０５】
操作コード４６０２が２であったとき（ステップＳ４７０８でＹ）、そのオブジェクトデータのうちオブジェクトＩＤと設定値４６０３を読み込む（ステップＳ４７０９）。
【０３０６】
そして、ステップＳ４７０９で読み込んだオブジェクトデータ以外で、操作コードや設定値を含んでいないオブジェクトデータを有するオブジェクトの奥行き位置を設定値４６０３の値の分だけ変更し、映像信号処理部１０５に出力する（ステップＳ４７１０）。
【０３０７】
映像信号処理部１０５は、３Ｄ変換部４４１２から受け取ったオブジェクトデータに基づいて立体映像を作成する（ステップＳ４７０３）。
【０３０８】
表示部１１０は、映像信号処理部１０５で作成された立体映像を表示する（ステップＳ４７０４）。
【０３０９】
なお、第６の実施の形態は、操作コード４６０２と設定値４６０３を含むオブジェクトデータを受信したときに、必ずしも図４７に示す処理手順が行われるものではない。例えば、受信装置側での設定によっては、たとえ操作コード４６０２と設定値４６０３を含むオブジェクトデータを受信したとしても、強制的に操作コード４６０２を０と書き換え、図４７に示す処理を行わないようにしてもよい。また、操作コード４６０２を含まないで送信信号を受信したときは、操作コード４６０２が０であるものとして扱ってもよい。
【０３１０】
また、上記処理では、ステップＳ４７０６やステップＳ４７０９で読み込んだオブジェクトデータ以外で、操作コードや設定値を含んでいないオブジェクトデータを有するオブジェクトの奥行き幅を設定値の数値分だけ変更したが、ステップＳ４７０６やステップＳ４７０９で読み込んだオブジェクトＩＤを有するオブジェクトのオブジェクトデータのみを変更するようにしてもよい。
【０３１１】
その場合、ステップＳ４７０６やステップＳ４７０９において、オブジェクト表示情報４６０４に示されるオブジェクトを読み込み、ステップＳ４７０７やステップＳ４７１０において、読み込んだオブジェクトの奥行き幅や奥行き位置を設定値４６０３分だけ変更し、映像信号処理部１０５に出力するようにすればよい。
【０３１２】
また、送信するオブジェクトデータは、上記の構成に限らず、特定のオブジェクトを指定するオブジェクトＩＤ４６０１のみを含むもの、操作コード４６０２のみを含むもの、設定値４６０３のみを含むものであってもよい。そのとき、指定されるオブジェクト、処理方法や設定値は、例えば受信装置で予め設定した値を用いる。
【０３１３】
また、オブジェクトＩＤ４６０１、操作コード４６０２、設定値４６０３のみを含むオブジェクトデータにより、受信装置にすでに蓄積されているオブジェクトをオブジェクトＩＤ４６０１により指定することもできる。
【０３１４】
なお、オブジェクトの奥行き位置と奥行き幅とを変更するように新たな操作コード４６０２を設け、受信装置に対して指定できるようにしてもよい。
【０３１５】
なお、送信信号のオブジェクトデータに設定値が含まれていない場合や、あるいは受信装置が読み取れない場合は、受信装置で予め設定された倍率値や差分値に基づいて処理できるようにする。
【０３１６】
また、送信信号のオブジェクトデータに操作コードや設定値が含まれている場合であっても、受信装置側でその設定値を使用するかどうかは任意であり、視聴者が受信装置に対して使用しないように設定することができる。また、送信信号のオブジェクトデータに含まれている操作コードや設定値を取得したとしても、予め設定された倍率値や差分値を用いて処理してもよい。
【０３１７】
また、第１の実施に形態から第５の実施の形態では、入力部１０７によりオブジェクトを指定したが、第６の実施に形態ではオブジェクトＩＤ４６０１によりオブジェクトを指定する。しかし、制御部１０６は入力部１０７により指定されたオブジェクトでもオブジェクトＩＤ４６０１により指定されたオブジェクトでも同様に処理するため、オブジェクトを指定する方法の相違を除いては、第１に実施に形態から第５の実施の形態で述べた受信装置のオブジェクトの処理方法がそのまま適用できる。
【０３１８】
以上から、第６の実施の形態によれば、送信装置と、送信装置から送信されるオブジェクトデータに対して、そのオブジェクトデータの奥行き方向に関する情報に変更を行える受信装置とを備える放送システムにより、立体的に表示される映像の視認性は向上し、視聴者の眼にかかる負担が軽減される。
【０３１９】
また、送信装置側で番組制作者等が指定したオブジェクトを指定できる送信装置と、その指定したオブジェクト、あるいは指定したオブジェクト以外で表示映像を構成しているオブジェクトの奥行き方向に関する情報について変更できる受信装置とから構成される放送システムにより、番組制作者は視聴者に対して趣向を凝らした映像効果を提供できる。特に、番組制作者がテレビニュース速報などの重要な情報を表示したいときに活用でき、文字情報を表示できるため、視聴者が表示を見逃さないようにすることができる。
【０３２０】
なお、第１の実施の形態から第６の実施の形態に示した受信装置において、必ずしも送信装置から映像データが送られてくるような形態に限らない。例えば、ＤＶＤ等の蓄積メディアに記録されている映像データを表示する場合でも、本発明を実施できる。
【０３２１】
なお、第１の実施の形態から第６の実施の形態に示した受信装置において、送信されてくる信号にオブジェクトデータが含まれていない場合や、平面的な映像の表示を行うためのデータしか含まれていない場合もある。その場合、まず受信装置において、受信した映像が立体的に表示されるものか、平面的に表示されるものかの判断は制御部で行われる。
【０３２２】
視聴者が入力部から特定のオブジェクトを選択しようとするとき、入力部は制御部を通じて３Ｄ変換部からオブジェクトに関する情報を入手できるようにする。このときに、制御部はデコーダから取得したデータから、例えばｚ軸座標値が取得できるかどうかや立体映像信号の中に立体映像データであることを表すフラグの有無により、表示映像が立体表示か平面表示の判別を行い、もし受信しているデータが平面的に表示される映像データで
あるならば、視聴者にオブジェクトを選択できない旨を表示することができる。
【０３２３】
しかし、受信しているデータが平面的に表示される映像データであっても、メニュー表示や多画面一覧表示、放送番組一覧表示に関しては、記憶部に記憶されているオブジェクトデータを参照して表示されるので、常時選択入力部から表示要求を行える。
【０３２４】
そして、その時のメニュー表示に関しては立体表示を行ってもよいし、平面的に表示させてもよい。
【０３２５】
また、受信しているデータが平面的に表示される映像データであっても、３Ｄ変換部において映像データに処理を行うことにより映像を立体化して見せるようにしてもよい。そのときは、例えば第１から第５の実施の形態で述べたように、映像の立体化の度合いを抑制しながらメニューの表示を行えばよい。
【０３２６】
また、第１から第５の実施の形態では、オブジェクトデータを含む送信データを想定したが、送信装置から左眼と右眼用で相違する平面映像を送信データとすることにより、受信装置で立体映像を再現する方法も考えられる。
【０３２７】
この場合、受信装置側の３Ｄ変換部では、メニュー以外の映像に関して、左眼と右眼用の平面映像の相違の度合いを緩和するように処理すれば、メニュー以外の映像は奥行きが狭まって表示されることが知られている。従って、送信データはオブジェクトデータを含むものでも、左眼と右眼用で相違する平面映像を含むものでも、本発明に影響を及ぼさない。
【０３２８】
更に、本発明はかかる上記実施形態に限定されるものではなく、本発明の範囲を逸脱することなく種々の変形又は修正が可能である。
【産業上の利用可能性】
【０３２９】
本発明は、映像データ等を送信する送信装置、映像データを立体的に表示可能な表示装置、映像データを送受信することができる送受信システム、送受信方法、表示方法、送信方法、および映像に関する制御をすることができるリモコンに関するものである。
【図面の簡単な説明】
【０３３０】
【図１】本発明の実施の形態を示す受信装置の構成図
【図２】オブジェクトデータの構造図
【図３】オブジェクト空間内に設定される座標系を示す図
【図４】本発明の実施の形態を示す受信装置の処理手順を示す図
【図５】本発明の実施の形態を示す３Ｄ変換部の処理手順を示す図
【図６】本発明の実施の形態を示すオブジェクトの表示とオブジェクトの位置を示す図
【図７】操作ハンドルを備えたリモコンの斜視図
【図８】球体を備えたリモコンの斜視図
【図９】リモコン操作時の表示画面を示す図
【図１０】本発明の実施の形態を示すオブジェクトの表示とオブジェクトの位置を示す図
【図１１】本発明の実施の形態を示すオブジェクトの表示とオブジェクトの位置を示す図
【図１２】本発明の実施の形態を示すオブジェクトの表示とオブジェクトの位置を示す図
【図１３】本発明の実施の形態を示すオブジェクトの表示とオブジェクトの位置を示す図
【図１４】本発明の実施の形態を示すオブジェクトの表示とオブジェクトの位置を示す図
【図１５】本発明の実施の形態を示すオブジェクトの表示とオブジェクトの位置を示す図
【図１６】本発明の実施の形態を示すメニューオブジェクトの表示図
【図１７】本発明の実施の形態を示す受信装置の構成図
【図１８】本発明の実施の形態を示すメニューオブジェクトデータの構造図
【図１９】本発明の実施の形態を示す項目ボタンオブジェクトデータの構造図
【図２０】本発明の実施の形態を示す受信装置の処理手順を示す図
【図２１】本発明の実施の形態を示すオブジェクトの表示とオブジェクトの位置を示す図
【図２２】本発明の実施の形態を示すオブジェクトの表示とオブジェクトの位置を示す図
【図２３】本発明の実施の形態を示すオブジェクトの表示とオブジェクトの位置を示す図
【図２４】本発明の実施の形態を示す３Ｄ変換部の処理手順を示す図
【図２５】本発明の実施の形態を示すオブジェクトの表示とオブジェクトの位置を示す図
【図２６】本発明の実施の形態を示すオブジェクトの表示とオブジェクトの位置を示す図
【図２７】本発明の実施の形態を示すメニュー変換部の処理手順を示す図
【図２８】本発明の実施の形態を示すオブジェクトの表示とオブジェクトの位置を示す図
【図２９】本発明の実施の形態を示すメニュー変換部の処理手順を示す図
【図３０】本発明の実施の形態を示すオブジェクトの表示とオブジェクトの位置を示す図
【図３１】本発明の実施の形態を示す放送番組一覧オブジェクト
【図３２】本発明の実施の形態を示す受信装置の構成図
【図３３】本発明の実施の形態を示す放送番組一覧オブジェクトデータの構造図
【図３４】本発明の実施の形態を示す番組名表示オブジェクトデータの構造図
【図３５】本発明の実施の形態を示す受信装置の処理手順を示す図
【図３６】本発明の実施の形態を示す放送番組一覧オブジェクトの表示例を示す図
【図３７】本発明の実施の形態を示す多画面一覧オブジェクトの表示例を示す図
【図３８】本発明の実施の形態を示す受信装置の構成図
【図３９】本発明の実施の形態を示す多画面一覧オブジェクトデータの構造図
【図４０】本発明の実施の形態を示す変換されたオブジェクトデータの構造図
【図４１】本発明の実施の形態を示す受信装置の処理手順を示す図
【図４２】本発明の実施の形態を示す多画面一覧オブジェクトの表示例を示す図
【図４３】本発明の実施の形態を示す送信装置と受信装置の構成図
【図４４】本発明の実施の形態を示す送信装置と受信装置の構成図
【図４５】操作部による編集画面の表示を示す図
【図４６】本発明の実施の形態のオブジェクトデータを示す図
【図４７】本発明の実施の形態を示す受信装置の処理手順を示す図
【図４８】従来例を示すオブジェクトの表示とオブジェクトの位置を示す図
【符号の説明】
【０３３１】
１０２  受信部
１０３  分離部
１０４  デコーダ
１０５  映像信号処理部
１０６  制御部
１０７  入力部
１０８  記憶部
１０９  ３Ｄ変換部
１１０  表示部
１７０２  制御部
１７０３  記憶部
１７０４  ３Ｄ変換部
１７０５  メニュー変換部
３２０２  制御部
３２０３  番組一覧制御部
３２０４  視聴率記憶部
３２０５  ３Ｄ変換部
３８０２  記憶部
３８０３  制御部
３８０４  多画面生成部
３８０５  映像格納部
３８０６  多画面３Ｄ変換部
４４０６  映像付加情報送出部
４４０７  操作部
４４１２  ３Ｄ変換部
【図１】
2005065162.tif 000003
【図２】
2005065162.tif 000004
【図３】
2005065162.tif 000005
【図４】
2005065162.tif 000006
【図５】
2005065162.tif 000007
【図６】
2005065162.tif 000008
【図７】
2005065162.tif 000009
【図８】
2005065162.tif 000010
【図９】
2005065162.tif 000011
【図１０】
2005065162.tif 000012
【図１１】
2005065162.tif 000013
【図１２】
2005065162.tif 000014
【図１３】
2005065162.tif 000015
【図１４】
2005065162.tif 000016
【図１５】
2005065162.tif 000017
【図１６】
2005065162.tif 000018
【図１７】
2005065162.tif 000019
【図１８】
2005065162.tif 000020
【図１９】
2005065162.tif 000021
【図２０】
2005065162.tif 000022
【図２１】
2005065162.tif 000023
【図２２】
2005065162.tif 000024
【図２３】
2005065162.tif 000025
【図２４】
2005065162.tif 000026
【図２５】
2005065162.tif 000027
【図２６】
2005065162.tif 000028
【図２７】
2005065162.tif 000029
【図２８】
2005065162.tif 000030
【図２９】
2005065162.tif 000031
【図３０】
2005065162.tif 000032
【図３１】
2005065162.tif 000033
【図３２】
2005065162.tif 000034
【図３３】
2005065162.tif 000035
【図３４】
2005065162.tif 000036
【図３５】
2005065162.tif 000037
【図３６】
2005065162.tif 000038
【図３７】
2005065162.tif 000039
【図３８】
2005065162.tif 000040
【図３９】
2005065162.tif 000041
【図４０】
2005065162.tif 000042
【図４１】
2005065162.tif 000043
【図４２】
2005065162.tif 000044
【図４３】
2005065162.tif 000045
【図４４】
2005065162.tif 000046
【図４５】
2005065162.tif 000047
【図４６】
2005065162.tif 000048
【図４７】
2005065162.tif 000049
【図４８】
2005065162.tif 000050